(57)【要約】【課題】ＴＴＬ位相差方式のＡＦ検出装置を有するレンズ交換式カメラに中間アダプタを介して交換レンズを装着した際にも、高精度のＡＦが可能なレンズ交換式カメラ及びカメラシステムを提供することである。【解決手段】このカメラシステムは、交換レンズユニット１０と、中間アダプタ２０と、カメラボディユニット３０とを備えている。上記交換レンズユニット１０のピントずれ量はＡＦセンサ４６で検出される。交換レンズユニット１０内のデータ記憶部１６には、該交換レンズユニット１０の光学特性によって決定されて、被写体を照明する光源の種類に対応した構成をとる第１のＡＦ補正用データと、交換レンズユニット１０と中間アダプタ２０を組み合わせた際の光学特性によって決定されて、被写体を照明する光源の種類に対応した構成をとる第２のＡＦ補正用データとが記憶されている。【選択図】      図１
2005208235.tif 000002
【特許請求の範囲】
【請求項１】
カメラボディと、上記カメラボディに着脱可能な交換レンズとを具備するカメラシステムであって、
上記交換レンズと上記カメラボディの間に着脱自在であり、上記交換レンズの焦点距離を変更可能な中間アダプタと、
上記カメラボディ内に設けられるもので、上記交換レンズのピントずれ量を検出する焦点検出手段と、
上記交換レンズ内に設けられるもので、上記焦点検出手段で検出された上記交換レンズのピントずれ量を補正するためのＡＦ補正用データを記憶する記憶手段と、
を具備し、
上記記憶手段に記憶されている上記ＡＦ補正用データは、上記交換レンズの光学特性によって決定されて、被写体を照明する光源の種類に対応した構成をとる第１のＡＦ補正用データと、上記交換レンズと上記中間アダプタを組み合わせた際の光学特性によって決定されて、被写体を照明する光源の種類に対応した構成をとる第２のＡＦ補正用データとを含んでいることを特徴とするカメラシステム。
【請求項２】
上記カメラボディは、
被写体を照明する光源を検出する光源検出手段と、
上記記憶手段に記憶されている上記第１及び第２のＡＦ補正用データを読み出す読み出し手段と、
上記交換レンズと上記カメラボディの間に上記中間アダプタが装着されているか否かに応じて上記第１及び第２のＡＦ補正用データを択一的に選択し、上記光源検出手段の出力に基づいて上記焦点検出手段で検出されたピントずれ量を補正する補正手段と、
を更に具備することを特徴とする請求項１に記載のカメラシステム。
【請求項３】
カメラボディと、上記カメラボディに着脱可能な交換レンズとを備え、上記交換レンズと上記カメラボディの間に第１の中間アダプタ若しくは上記第１の中間アダプタと異なる第２の中間アダプタとを装着可能なカメラシステムであって、
上記交換レンズのピントずれ量を検出する焦点検出手段と、
被写体を照明する光源を検出する光源検出手段と、
上記交換レンズの光学特性によって決定され、上記被写体を照明する上記光源の種類に対応した構成の第１のＡＦ補正用データと、上記交換レンズと上記中間アダプタを組み合わせた際の光学特性によって決定され、上記被写体を照明する上記光源の種類に対応した構成の第２のＡＦ補正用データとを記憶している第１の記憶手段と、
上記第２のＡＦ補正用データを補正するものであって、上記被写体を照明する上記光源の種類に対応した構成の補正データを記憶している第２の記憶手段と、
上記第１及び第２の中間アダプタの何れも装着されていない場合には上記第１のＡＦ補正用データを用い、上記第１の中間アダプタが装着されている場合には上記第２のＡＦ補正用データを用い、上記第２の中間アダプタが装着されている場合には上記補正データにより補正された上記第２のＡＦ補正用データを用いて、上記光源検出手段の出力に応じて上記焦点検出手段の出力を補正する補正手段と、
を具備していることを特徴とするカメラシステム。
【請求項４】
上記第１の記憶手段は上記交換レンズに設けられ、上記第２の記憶手段は上記中間アダプタに設けられていることをを特徴とする請求項３に記載のカメラシステム。
【請求項５】
カメラボディとこのカメラボディに着脱自在の交換レンズとを備えたレンズ交換式カメラであって、
上記カメラボディと上記交換レンズとの間に装着可能であって、上記交換レンズの焦点距離を変更可能な中間アダプタと、
上記カメラボディに設けられるもので、上記交換レンズのピントずれ量を検出する焦点検出手段と、
上記中間アダプタが上記カメラボディと上記交換レンズとの間に装着されているか否かを判定する判定手段と、
上記交換レンズの光学特性によって決定され、被写体を照明する光源の種類に対応した構成の第１のＡＦ補正用データと、上記交換レンズと上記中間アダプタとを組み合わせた光学特性によって決定され、上記被写体を照明する上記光源に応じた構成の第２のＡＦ補正用データとを、装着された上記交換レンズから読み出す読み出し手段と、
被写体を照明する光源を検出する光源検出手段と、
上記判定手段によって上記中間アダプタが装着されていないと判定された場合は上記第１のＡＦ補正用データを選択し、上記中間アダプタが装着されていると判定された場合は上記第２のＡＦ補正用データを選択して、上記光源検出手段の出力に応じて上記焦点検出手段の出力を補正する補正手段と、
を具備することを特徴とするレンズ交換式カメラ。
【請求項６】
上記判定手段は、上記中間アダプタが第１の種類か第２の種類かを判定するアダプタ判定手段を含み、
上記補正手段は、上記アダプタ判定手段により上記中間アダプタが第２の種類の中間アダプタと判定した場合は、上記第２のＡＦ補正用データを上記第２の中間アダプタの組合わせに適合するように変換した後に上記焦点検出手段の出力を補正することを特徴とする請求項５に記載のレンズ交換式カメラ。
【請求項７】
カメラボディと、
上記カメラボディに着脱可能な交換レンズと、
上記交換レンズと上記カメラボディの間に着脱自在であり、上記交換レンズの焦点距離を変更可能な中間アダプタと、
上記カメラボディ内に設けられるもので、被写体を照明する光源を検出する光源検出手段と、
上記カメラボディ内に設けられるもので、上記交換レンズのピントずれ量を検出する焦点検出手段と、
上記交換レンズ内に設けられるもので、上記焦点検出手段で検出された上記交換レンズのピントずれ量を補正するためのＡＦ補正用データを記憶する記憶手段と、
を具備し、
上記記憶手段に記憶されている上記ＡＦ補正用データは、上記交換レンズの光学特性によって決定されて、上記光源検出手段で検出された上記光源の種類に対応した構成の第１のＡＦ補正用データと、上記交換レンズと上記中間アダプタを組み合わせた際の光学特性によって決定されて、上記光源検出手段で検出された上記光源の種類に対応した構成で上記第１の補正用データと異なる第２のＡＦ補正用データとを含んでいることを特徴とするカメラシステム。
【請求項８】
上記カメラボディは、
上記記憶手段に記憶されている上記第１及び第２のＡＦ補正用データを読み出す読み出し手段と、
上記交換レンズと上記カメラボディの間に上記中間アダプタが装着されているか否かを判定する中間アダプタ装着判定部と、
上記中間アダプタ装着判定部の判定結果に応じて上記第１及び第２のＡＦ補正用データを択一的に選択する選択手段と、
上記選択手段で選択されたＡＦ補正用データに応じて、上記焦点検出手段で検出されたピントずれ量を補正する補正手段と、
を更に具備することを特徴とする請求項７に記載のカメラシステム。
【請求項９】
カメラボディと、上記カメラボディに着脱可能な交換レンズとを備え、上記交換レンズと上記カメラボディの間に第１の中間アダプタ若しくは上記第１の中間アダプタと異なる第２の中間アダプタとを装着可能なカメラシステムであって、
上記交換レンズのピントずれ量を検出する焦点検出手段と、
被写体を照明する光源を検出する光源検出手段と、
上記交換レンズの光学特性によって決定され、上記光源検出手段で検出された上記光源の種類に対応した構成の第１のＡＦ補正用データと、上記交換レンズと上記中間アダプタを組み合わせた際の光学特性によって決定され、上記光源検出手段で検出された上記光源の種類に対応した構成の第２のＡＦ補正用データと、上記第２のＡＦ補正用データを補正するものであって、上記光源検出手段で検出された上記光源の種類に対応した構成の補正データを記憶している記憶手段と、
上記交換レンズと上記カメラボディとの間に上記中間アダプタが装着されたか否かを判定する中間アダプタ装着判定部と、
上記中間アダプタ装着判定部により、中間アダプタが装着されていないと判定された場合には上記第１のＡＦ補正用データを用い、上記第１の中間アダプタが装着されていと判定された場合には上記第２のＡＦ補正用データを用い、上記第２の中間アダプタが装着されていると判定された場合には上記補正データにより補正された上記第２のＡＦ補正用データを用いて、上記光源検出手段の出力に応じて上記焦点検出手段の出力を補正する補正手段と、
を具備していることを特徴とするカメラシステム。
【請求項１０】
上記記憶手段は、上記第１のＡＦ補正用データと、上記第２のＡＦ補正用データとを記憶する第１の記憶部と、上記補正データを記憶する第２の記憶部と、を有して構成されることを特徴とする請求項９に記載のカメラシステム。
【請求項１１】
上記第１の記憶手段は上記交換レンズに設けられ、上記第２の記憶手段は上記中間アダプタに設けられていることをを特徴とする請求項１０に記載のカメラシステム。
【発明の詳細な説明】
【技術分野】
【０００１】
本発明は、ＴＴＬ位相差方式のＡＦ検出装置を有するレンズ交換式カメラ及びカメラシステムに関し、より詳しくは撮影レンズ等の色収差に応じてＡＦ補正する技術に関する。
【背景技術】
【０００２】
ＴＴＬ位相差ＡＦ装置を搭載するカメラに於いて、ＡＦ装置で検出した焦点情報に基づいて撮影レンズの焦点を調節しても、異なる光源の照明下で撮影した場合には画像がピンボケになることがある。これは、撮影レンズの色収差特性に起因して、それぞれの光源に対する最良像面位置に差が生ずるためである。
【０００３】
そこで、色収差特性に応じた最良像面位置の補正量（以下、ＡＦ補正用データと称する）を撮影レンズ内に記憶しておき、このＡＦ補正用データに基づいてＡＦ装置の出力を補正する技術が提案されている（例えば、特許文献１参照）。
【０００４】
ところで、レンズ交換式カメラでは、カメラと交換レンズの間に中間アダプタを装着して焦点距離を変更することが可能である。この中間アダプタとしては、例えば、焦点距離を長くするテレコンバータ等が知られている。
【０００５】
このような中間アダプタをカメラに装着した場合、中間アダプタの有している色収差も交換レンズの色収差と同様に焦点位置に影響する。したがって、交換レンズと中間アダプタの両方に上述のＡＦ補正用データを記憶しておきそれらを合成してＡＦ装置の出力を補正する技術が提案されている（例えば、特許文献２参照）。
【特許文献１】特公平３−７３８４７号公報
【特許文献２】特許第３３４０８９５号公報
【発明の開示】
【発明が解決しようとする課題】
【０００６】
しかしながら、上記特許文献２に記載の技術は、交換レンズと中間アダプタが個々に有するＡＦ補正用データを単純に合成するだけのものであるため、交換レンズと中間アダプタを組合わせた状態に於ける最終的なＡＦ精度を考えると不十分である。すなわち、より高精度のＡＦ性能を実現するためには、交換レンズと中間アダプタを組合せた状態で定まる光学特性に基づいてＡＦ補正用データを決定するのが望ましいと考えられる。
【０００７】
本発明は、上述した実状に鑑みてなされたものであって、ＴＴＬ位相差方式のＡＦ検出装置を有するレンズ交換式カメラに中間アダプタを介して交換レンズを装着した際にも、高精度のＡＦが可能なレンズ交換式カメラ及びカメラシステムを提供することを目的とする。
【課題を解決するための手段】
【０００８】
すなわち、請求項１に記載の発明は、カメラボディと、上記カメラボディに着脱可能な交換レンズとを具備するカメラシステムであって、上記交換レンズと上記カメラボディの間に着脱自在であり、上記交換レンズの焦点距離を変更可能な中間アダプタと、上記カメラボディ内に設けられるもので、上記交換レンズのピントずれ量を検出する焦点検出手段と、上記交換レンズ内に設けられるもので、上記焦点検出手段で検出された上記交換レンズのピントずれ量を補正するためのＡＦ補正用データを記憶する記憶手段と、を具備し、上記記憶手段に記憶されている上記ＡＦ補正用データは、上記交換レンズの光学特性によって決定されて、被写体を照明する光源の種類に対応した構成をとる第１のＡＦ補正用データと、上記交換レンズと上記中間アダプタを組み合わせた際の光学特性によって決定されて、被写体を照明する光源の種類に対応した構成をとる第２のＡＦ補正用データとを含んでいることを特徴とする。
【０００９】
請求項２に記載の発明は、請求項１に記載の発明に於いて、上記カメラボディは、被写体を照明する光源を検出する光源検出手段と、上記記憶手段に記憶されている上記第１及び第２のＡＦ補正用データを読み出す読み出し手段と、上記交換レンズと上記カメラボディの間に上記中間アダプタが装着されているか否かに応じて上記第１及び第２のＡＦ補正用データを択一的に選択し、上記光源検出手段の出力に基づいて上記焦点検出手段で検出されたピントずれ量を補正する補正手段と、を更に具備することを特徴とする。
【００１０】
請求項３に記載の発明は、カメラボディと、上記カメラボディに着脱可能な交換レンズとを備え、上記交換レンズと上記カメラボディの間に第１の中間アダプタ若しくは上記第１の中間アダプタと異なる第２の中間アダプタとを装着可能なカメラシステムであって、上記交換レンズのピントずれ量を検出する焦点検出手段と、被写体を照明する光源を検出する光源検出手段と、上記交換レンズの光学特性によって決定され、上記被写体を照明する上記光源の種類に対応した構成の第１のＡＦ補正用データと、上記交換レンズと上記中間アダプタを組み合わせた際の光学特性によって決定され、上記被写体を照明する上記光源の種類に対応した構成の第２のＡＦ補正用データとを記憶している第１の記憶手段と、上記第２のＡＦ補正用データを補正するものであって、上記被写体を照明する上記光源の種類に対応した構成の補正データを記憶している第２の記憶手段と、上記第１及び第２の中間アダプタの何れも装着されていない場合には上記第１のＡＦ補正用データを用い、上記第１の中間アダプタが装着されている場合には上記第２のＡＦ補正用データを用い、上記第２の中間アダプタが装着されている場合には上記補正データにより補正された上記第２のＡＦ補正用データを用いて、上記光源検出手段の出力に応じて上記焦点検出手段の出力を補正する補正手段と、を具備していることを特徴とする。
【００１１】
請求項４に記載の発明は、請求項３に記載の発明に於いて、上記第１の記憶手段は上記交換レンズに設けられ、上記第２の記憶手段は上記中間アダプタに設けられていることをを特徴とする。
【００１２】
請求項５に記載の発明は、カメラボディとこのカメラボディに着脱自在の交換レンズとを備えたレンズ交換式カメラであって、上記カメラボディと上記交換レンズとの間に装着可能であって、上記交換レンズの焦点距離を変更可能な中間アダプタと、上記カメラボディに設けられるもので、上記交換レンズのピントずれ量を検出する焦点検出手段と、上記中間アダプタが上記カメラボディと上記交換レンズとの間に装着されているか否かを判定する判定手段と、上記交換レンズの光学特性によって決定され、被写体を照明する光源の種類に対応した構成の第１のＡＦ補正用データと、上記交換レンズと上記中間アダプタとを組み合わせた光学特性によって決定され、上記被写体を照明する上記光源に応じた構成の第２のＡＦ補正用データとを、装着された上記交換レンズから読み出す読み出し手段と、被写体を照明する光源を検出する光源検出手段と、上記判定手段によって上記中間アダプタが装着されていないと判定された場合は上記第１のＡＦ補正用データを選択し、上記中間アダプタが装着されていると判定された場合は上記第２のＡＦ補正用データを選択して、上記光源検出手段の出力に応じて上記焦点検出手段の出力を補正する補正手段と、を具備することを特徴とする。
【００１３】
請求項６に記載の発明は、請求項５に記載の発明に於いて、上記判定手段は、上記中間アダプタが第１の種類か第２の種類かを判定するアダプタ判定手段を含み、上記補正手段は、上記アダプタ判定手段により上記中間アダプタが第２の種類の中間アダプタと判定した場合は、上記第２のＡＦ補正用データを上記第２の中間アダプタの組合わせに適合するように変換した後に上記焦点検出手段の出力を補正することを特徴とする。
【００１４】
請求項７に記載の発明は、カメラボディと、上記カメラボディに着脱可能な交換レンズと、上記交換レンズと上記カメラボディの間に着脱自在であり、上記交換レンズの焦点距離を変更可能な中間アダプタと、上記カメラボディ内に設けられるもので、被写体を照明する光源を検出する光源検出手段と、上記カメラボディ内に設けられるもので、上記交換レンズのピントずれ量を検出する焦点検出手段と、上記交換レンズ内に設けられるもので、上記焦点検出手段で検出された上記交換レンズのピントずれ量を補正するためのＡＦ補正用データを記憶する記憶手段と、を具備し、上記記憶手段に記憶されている上記ＡＦ補正用データは、上記交換レンズの光学特性によって決定されて、上記光源検出手段で検出された上記光源の種類に対応した構成の第１のＡＦ補正用データと、上記交換レンズと上記中間アダプタを組み合わせた際の光学特性によって決定されて、上記光源検出手段で検出された上記光源の種類に対応した構成で上記第１の補正用データと異なる第２のＡＦ補正用データとを含んでいることを特徴とする。
【００１５】
請求項８に記載の発明は、請求項７に記載の発明に於いて、上記カメラボディは、上記記憶手段に記憶されている上記第１及び第２のＡＦ補正用データを読み出す読み出し手段と、上記交換レンズと上記カメラボディの間に上記中間アダプタが装着されているか否かを判定する中間アダプタ装着判定部と、上記中間アダプタ装着判定部の判定結果に応じて上記第１及び第２のＡＦ補正用データを択一的に選択する選択手段と、上記選択手段で選択されたＡＦ補正用データに応じて、上記焦点検出手段で検出されたピントずれ量を補正する補正手段と、を更に具備することを特徴とする。
【００１６】
請求項９に記載の発明は、カメラボディと、上記カメラボディに着脱可能な交換レンズとを備え、上記交換レンズと上記カメラボディの間に第１の中間アダプタ若しくは上記第１の中間アダプタと異なる第２の中間アダプタとを装着可能なカメラシステムであって、上記交換レンズのピントずれ量を検出する焦点検出手段と、被写体を照明する光源を検出する光源検出手段と、上記交換レンズの光学特性によって決定され、上記光源検出手段で検出された上記光源の種類に対応した構成の第１のＡＦ補正用データと、上記交換レンズと上記中間アダプタを組み合わせた際の光学特性によって決定され、上記光源検出手段で検出された上記光源の種類に対応した構成の第２のＡＦ補正用データと、上記第２のＡＦ補正用データを補正するものであって、上記光源検出手段で検出された上記光源の種類に対応した構成の補正データを記憶している記憶手段と、上記交換レンズと上記カメラボディとの間に上記中間アダプタが装着されたか否かを判定する中間アダプタ装着判定部と、上記中間アダプタ装着判定部により、中間アダプタが装着されていないと判定された場合には上記第１のＡＦ補正用データを用い、上記第１の中間アダプタが装着されていと判定された場合には上記第２のＡＦ補正用データを用い、上記第２の中間アダプタが装着されていると判定された場合には上記補正データにより補正された上記第２のＡＦ補正用データを用いて、上記光源検出手段の出力に応じて上記焦点検出手段の出力を補正する補正手段と、を具備していることを特徴とする。
【００１７】
請求項１０に記載の発明は、請求項９に記載の発明に於いて、上記記憶手段は、上記第１のＡＦ補正用データと、上記第２のＡＦ補正用データとを記憶する第１の記憶部と、上記補正データを記憶する第２の記憶部と、を有して構成されることを特徴とする。
【００１８】
請求項１１に記載の発明は、請求項１０に記載の発明に於いて、上記第１の記憶手段は上記交換レンズに設けられ、上記第２の記憶手段は上記中間アダプタに設けられていることをを特徴とする。
【発明の効果】
【００１９】
本発明によれば、ＴＴＬ位相差方式のＡＦ検出装置を有するレンズ交換式カメラに中間アダプタを介して交換レンズを装着した際にも、高精度のＡＦが可能となる。
【発明を実施するための最良の形態】
【００２０】
以下、図面を参照して、本発明の実施形態を説明する。
【００２１】
（第１の実施形態）
図１は、本発明のカメラシステムの基本的な構成を示すブロック図である。
【００２２】
図１に於いて、本カメラシステムは、交換レンズユニット１０、中間アダプタ２０及びカメラボディユニット３０を有して構成されている。そして、上記交換レンズユニット１０、中間アダプタ２０及びカメラボディユニット３０は、図示されないマウント機構により、互いに着脱可能に構成されている。
【００２３】
上記交換レンズユニット１０は、撮影レンズ１１ａ及び１１ｂと、絞り１２と、レンズ駆動機構１３と、絞り駆動機構１４と、レンズＣＰＵ１５及びデータ記憶部１６を備えている。
【００２４】
上記レンズＣＰＵ１５は、交換レンズユニット１０を統括的に制御するものである。すなわち、レンズ駆動機構１３に制御信号を出力して、合焦動作のために撮影レンズ１１ａ及び１１ｂの位置を前後に移動させる。また、絞り駆動機構１４に制御信号を出力して、露出制御のために絞り１２の絞り込み位置を変更する。更に、レンズＣＰＵ１５は、カメラボディユニット３０との信号授受により、種々の情報を受信する。
【００２５】
データ記憶部１６は、レンズ固有の情報（例えば、レンズ焦点距離、開放Ｆ値、ＡＦ補正用データ等）を記憶する記憶手段（第１の記憶手段、第１の記憶部）である。これらレンズ固有の情報は、読み出し手段であるレンズＣＰＵ１５及び後述するカメラＣＰＵ３５によって読み出される。
【００２６】
上記中間アダプタ２０は、テレコンバージョンレンズ２１と、アダプタＣＰＵ２２及びアダプタ記憶部（第２の記憶手段、第２の記憶部）２３を備えている。
【００２７】
テレコンバージョンレンズ２１は、上述した交換レンズユニット１０の焦点距離を変更するためのものである。このテレコンバージョンレンズ２１により、レンズの倍率を、例えば２倍に拡大することができる。
【００２８】
アダプタ記憶部２３は、中間アダプタ固有の情報（例えば、レンズ種類、ＡＦ補正用データ等）を記憶する。アダプタＣＰＵ２２は、上述したカメラボディユニット３０との間で信号授受を行って、ＡＦ補正のための中間アダプタ固有の情報を送信する。
【００２９】
上記カメラボディユニット３０は、クイックリターンミラー３１と、シャッタ３２と、撮像素子３３と、画像処理回路３４と、カメラＣＰＵ３５と、画像モニタ３６と、画像メモリ３７と、カメラ記憶部３９と、フォーカシングスクリーン４０と、ペンタプリズム４１と、測光回路４２と、補助光部４３と、サブミラー４４と、ＡＦレンズ４５と、ＡＦセンサ４６と、測距部４７と、シャッタ駆動機構４８と、ミラー駆動機構４９と、拡散板５０と、光源センサ５１及び光源検出回路５２とを備えている。
【００３０】
上記クイックリターンミラー３１は、その中央部がハーフミラーとなっており、非撮影動作時に於いては、被写体像をペンタプリズム４１とＡＦセンサ４６に導く。
【００３１】
撮像素子３３は、例えばＣＣＤを用いて被写体の光像を電気信号である画像データに変換する。カメラＣＰＵ３５は、本カメラシステムの動作を統括的に制御すると共に、画像処理回路３４を制御して画像データに種々の画像処理を施す。このカメラＣＰＵ３５の動作に必要な情報は、カメラ記憶部３９に格納されている。
【００３２】
また、カメラＣＰＵ３５は、交換レンズユニット１０内のレンズＣＰＵ１５、中間アダプタ２０内のアダプタＣＰＵ２２との通信により、撮影レンズ１１ａ及び１１ｂのレンズ特性情報、ＡＦ補正のための中間アダプタ固有の情報を獲得する。このカメラＣＰＵ３５は、読み出し手段、選択手段、補正手段、判定手段（アダプタ判定手段、アダプタ装着判定部）
カメラＣＰＵ３５の情報授受のための信号ラインには、「ＡＳＥＬ」、「ＬＳＥＬ」、「ＤＡＴＡ」、「ＣＯＮＴ」が設けられている。「ＡＳＥＬ」は、中間アダプタ２０との情報通信を選択するラインである。「ＬＳＥＬ」は、交換レンズユニット１０との情報通信を選択するラインである。また、「ＤＡＴＡ」は、レンズ固有情報等を通信するための共通ラインである。更に、「ＣＯＮＴ」は、制御命令（例えば、レンズ情報要求、絞り駆動指令等）を通信するためのコントロール信号ラインである。
【００３３】
画像モニタ３６は、液晶モニタ等で構成されるもので、画像データを表示する。画像メモリ３７は、スマートメディア（登録商標）等の記録媒体である画像データを記録するためのものである。
【００３４】
上記フォーカシングスクリーン４０は、クイックリターンミラー３１で上方に反射された被写体光像のピントを合わせるためのものである。
【００３５】
測光回路４２は、ペンタプリズム４１からの被写体光像の一部を、図示されない光電変換素子によって受光して被写体の輝度を測定するためのものである。カメラＣＰＵ３５は、この測光回路４２の測定データに基づいて、露出条件を算出する。
【００３６】
補助光部４３は、知使用の補助光であり、カメラＣＰＵ３５によって制御される。この補助光部４３による補助光は、被写体が低輝度である場合に、ＡＦセンサ４６の積分動作と同期して、該補助光部４３内の図示されない赤色発光ダイオードが発光して被写体を照明するようになっている。赤色発光ダイオードの分光特性は、図３に示される（詳細は後述する）。
【００３７】
サブミラー４４は、クイックリターンミラー３１に折り畳み可能に取り付けられている。このサブミラー４４は、クイックリターンミラー３１が撮影レンズ１１ａ及び１１ｂの光軸上に配置されているときに、当該クイックリターンミラー３１の一部を透過する光束を、ＡＦセンサ４６側へと導くものである。
【００３８】
ＡＦセンサ４６は、上記サブミラー４４によって２つに分割された被写体光像を、ＡＦレンズ４５を介して受光する焦点検出手段である。測距部４７は、このＡＦセンサ４６の出力に基づいて、合焦のためのレンズ駆動量を算出する。このＡＦ測距機構は、いわゆるＴＴＬ位相差方式によるもので、焦点検出に用いられる光束は、撮影レンズの絞りをＦ８程度に絞った場合に相当する光束である。
【００３９】
図２は、本実施形態のカメラシステムに於ける焦点検出装置の一部を構成するＡＦセンサ４６の検出エリアと、光源検出手段である光源センサ５１の検出エリアとを概略的に示し、これらの検出エリアの撮影画面（撮影画角）５５に対する関係をそれぞれ示したものである。
【００４０】
図２に於いて、領域５６（図２に於いて斜線で示される領域）は、ＡＦセンサ４６の検出エリアを示している。同様に、領域５７ａ、５７ｂは、光源センサ５１の検出エリアを示している。
【００４１】
次に、被写体を照明する光源の種類によって、ＡＦセンサ４６及び測距部４７による測距結果にどのような影響があるのかについて説明する。
【００４２】
初めに、光源の波長特性について説明する。
【００４３】
図３は、被写体を照明する各種の照明光源の分光特性を示す概略図である。照明光源としては、図示されるように、Ａ；蛍光灯、Ｂ；昼光、Ｃ；白熱電球、Ｄ；ブルーフラッドランプ、Ｅ；補助光の各特性曲線を例示している。
【００４４】
図３に示されるように、蛍光灯の分光特性は、略５００ｎｍ付近を頂点として略３００ｎｍ付近から略８００ｎｍ付近の範囲にある。また、白熱電球の分光特性は、略１０００ｎｍ付近を頂点に略３００ｎｍ付近より長波長寄りの領域にある。ブルーフラッドランプの分光特性は、略８００ｎｍ付近に急峻な感度を有し、略３００ｎｍ付近から略８５０ｎｍ付近の領域にある。また、一般的な自然光（昼光）の分光特性は、略３００ｎｍ付近より長波長寄りの領域から比較的全範囲にわたる分光特性を有している。そして、補助光の分光特性は、略７００ｎｍ付近に急峻な感度を有している。
【００４５】
図４は、被写体を照明している光源の種類によって、ＡＦセンサ４６の受光部に結像される２つの像の間隔にズレが生じている状態を示した図である。
【００４６】
例えば、２つの像の間隔が昼光に於いて合焦状態で結像しているものとした場合、この同一被写体をブルーフラッドランプで照明して撮影すると、以下のようになる。すなわち、図４に示されるように、昼光に於ける合焦状態に比べて、ＡＦセンサ４６の受光面上に於いて、約＋０．２画素分のズレが生じることがわかる。これは、ＡＦ検出光束の波長成分が異なると撮影レンズやＡＦ光学系の光学的な作用が異なるため、上記のズレが発生する。この詳細については、特許第２６６６２７４号公報に開示されているので、ここでの説明は省略する。
【００４７】
尚、上記約＋０．２画素は、ピント位置に換算して、例えば＋０．１ｍｍに相当する。測距センサは、ラインセンサを有しており、その画素を意味する。
【００４８】
このように照明光源によって合焦位置にズレが生じてしまうと、いわゆるピンボケ写真が生成されることとなり問題となる。このため、本発明では、光源センサ５１により、光源の種類を判別し、それに応じて交換レンズユニット１０内のデータ記憶部１６や、中間アダプタ２０内のアダプタ記憶部２３等に記憶されているＡＦ補正値や補正係数を使用して、上記問題を解決している。
【００４９】
上述した光源センサ５１は、本実施形態では外光式のセンサで構成される光源検出手段であり、交換レンズユニット１０を通過していない被写体光を、拡散板５０を介して検出する。この光源センサ５１は、可視光センサ６９及び赤外光センサ６８（図７参照、何れも詳細は後述する）から構成されており、拡散板５０を介して被写体光が入射される構成のため、センサの視野は同一であり、広い画角を有している。
【００５０】
可視光センサ６９は、正しくは可視及び近赤外の分光感度を有しているが、可視光線差６９と拡散板５０との間には、赤外カットフィルタ７０（図７参照、詳細は後述する）が挿入されており、最終的に可視光のみを受光するような構成となっている。光源センサ５１は、各分光感度のセンサに応じた光電流を圧縮、電流電圧変換して出力する。光源検出センサの出力は光源検出回路５２でＡ／Ｄ変換され、各センサの分光感度に応じた被写体全域の明るさが検出可能な構成となっている。
【００５１】
次に、光源の種類を検出する原理について説明する。
【００５２】
図５は、本実施形態のカメラシステムに於いて、被写体を照明する照明光を測定するもので後述する可視光センサ６９の分光感度特性と、後述する赤外光センサ６８の分光感度特性をそれぞれ示した図である。
【００５３】
本実施形態のカメラシステムに於ける可視光センサ６９の分光感度特性は、図５の符号Ｆで示されるように、略５００ｎｍ付近を頂点（ピーク；最大値）とした短波長領域寄りの分光感度特性を有し、可視光領域に感度を有している。また、同カメラに於ける赤外光センサ６８の分光感度特性は、図５の符号Ｇで示されるように、略６００ｎｍ付近を頂点として１０００ｎｍ付近の長波長領域までの分光感度特性を有している。
【００５４】
尚、以下の説明に於いて、可視光センサ６９による測光を可視測光と称し、赤外光センサ６９による測光を赤外測光と称するものとする。
【００５５】
図６は、上述した光源による赤外測光と可視測光の差（ΔＢＶ）を、タングステンランプ（白熱灯）を基準として規格化して表した図であり、本実施形態に於ける光源判定の方法を示した図である。
【００５６】
図６に於いては、基準光源がタングステンランプとされているので、輝度差ΔＢＶは、タングステンランプで０．０、太陽光で−１．１、白色蛍光灯で−７．１、３波昼白蛍光灯で−７．５、昼白蛍光灯で−６．２、３波昼光蛍光灯で−７．５、そしてブルーフラッドランプで＋１．３である。ここで、“タングステンランプで規格化”とは、各光源光をカメラに照射した場合の輝度差からタングステンランプをカメラに照射した場合の輝度差を引いた値である。
【００５７】
ここで、例えば、輝度差−３及び＋０．５の位置に閾値を設けた場合、上記輝度差ΔＢＶの値が−３を越えると蛍光灯であると判定し、＋０．５を越えるとブルーフラッドランプと判定することができる。
【００５８】
図７は光源センサ５１の配置について示した図であり、図８はこの光源センサ５１の構成を示した平面図である。
【００５９】
光源センサ５１は、カメラボディユニット３０のカメラ外装６５より内側で、拡散板５０の後方に配置されている。そして、この光源センサ５１は、クリアモールド６６上に、赤外センサ６８及び可視赤外センサ（ＳＰＤ）６９と、これらのセンサを制御する制御ＩＣ７２が搭載された構成となっている。更に、可視赤外光センサ６８の前面部、すなわち拡散板５０と対向する側には、赤外カットフィルタ７０が配置されている。この赤外カットフィルタ７０により、赤外光がカットされるので、可視赤外光センサ６９は可視光に近い分光感度を有した可視光センサとなる。
【００６０】
本実施形態では、可視測光を行うために、赤外可視域に分光感度を有するセンサと赤外カットフィルタとを組み合わせている。このような構成の場合、赤外カットフィルタの位置により、微少ではあるが赤外カットされずにセンサに入射する光が発生する。そして、カメラの組み立て誤差等により、この量が異なるため、各光源の光をカメラに照射した場合の可視光と赤外光の輝度差の絶対量は相違する。
【００６１】
しかし、基準の光源（本実施形態ではタングステン光）を基に輝度差を規格化した値は、カメラ個体差によらず一定となる。よって、図６に示される原理に基づいて、安定して光源を判定することができる。
【００６２】
次に、このように構成されたカメラシステムの動作について説明する。
【００６３】
撮影者により、カメラボディユニット３０の図示されないレリーズ釦が一段階押し込まれると、カメラＣＰＵ３６により、測光回路４２で測定された被写体輝度のデータに基づいて適正な露出を得るための絞り値が計算され、その結果がレンズＣＰＵ１５に送信される。レンズＣＰＵ１５では、所望の絞りになるように絞り駆動機構１４に信号が出力される。
【００６４】
また、カメラＣＰＵ３５により、測距部４７の検出結果と、予め受信された交換レンズユニット１０のレンズ情報、中間アダプタ２０のレンズ情報に基づいて、ＡＦ補正等の処理が施され、合焦のための撮影レンズ１１ａ及び１１ｂの駆動量が算出されて、レンズＣＰＵ１５に送信される。レンズＣＰＵ１５では、この駆動量に基づいて、撮影レンズ１１ａ及び１１ｂを合焦位置に移動させるための制御信号が、レンズ駆動機構１３に出力される。
【００６５】
そして、撮影者により、カメラボディユニット３０の図示されないレリーズ釦が二段階押し込まれると、カメラＣＰＵ３５により、クイックリターンミラー３１が撮影光路外に退避される。その後、シャッタ３２が動作されて被写体の光像が撮像素子３３に導かれ、該撮像素子３３から得られる画像データに画像処理が施される。
【００６６】
次に、第１の実施形態に於けるカメラシステムの構成のバリエーションについて説明する。
【００６７】
本発明に係るカメラシステムは、図１に示される構成（上述した交換レンズユニット１０、中間アダプタ２０及びカメラボディユニット３０を含む構成）を含んで、以下に示される３つのバリエーションとして構成することができる。
【００６８】
尚、以下に述べる実施形態及びバリエーションの説明では、基本的に図１乃至図８に示されたものと同様であるので、同一の部分には同一の参照番号を付して、その図示及び説明は省略し、異なる部分についてのみ説明する。
【００６９】
図９は、本発明に係るカメラシステムの第１のバリエーションの構成を示す図である。第１のバリエーションでは、カメラシステムは、交換レンズユニット１０及びカメラボディユニット３０で構成される。
【００７０】
データ記憶部１６には、ＡＦ補正データとして、中間アダプタ２０が無い場合のＡＦ補正用データ（ΔＡＦＤ０）１６ａと、中間アダプタ２０が有る場合のＡＦ補正用データ（ΔＡＦＤ１）１６ｂが格納されている。
【００７１】
そして、カメラＣＰＵ３５は、測距部４７からの、例えばＴＴＬ位相差方式による測距出力（ＡＦＤ）に対してＡＦ補正データを用いて補正し、撮影レンズの焦点調節駆動量をレンズＣＰＵ１５に送信する。
【００７２】
ここで、ＡＦ補正用データの構成について説明する。
【００７３】
下記表１は、交換レンズユニット１０内のデータ記憶部１６に予め格納されているＡＦ補正用データΔＡＦＤ０の構成を表したものである。
【表１】
2005208235.tif 000003
【００７４】
交換レンズユニット１０の焦点距離１〜ｎに対応し、更に光源の種類に対応して、各々ＡＦ補正用データが格納されている。これらのＡＦ補正用データは、例えば、蛍光灯用ｆｌｕｏ0n、昼光用ｓｕｎ0n、白熱灯用ｉｎｆｒ0n、ブルーフラッドランプ用ｂｒｕｆ0n、補助光用ｈｏｊｏ0nが、それぞれ格納されている。これらのデータは、カメラボディユニット３０内のカメラＣＰＵ３５と交換レンズユニット１０内のレンズＣＰＵ１５との通信により、データ記憶部１６から読み出され、カメラボディユニット３０のカメラ記憶部３９に格納される。
【００７５】
同様に、交換レンズユニット１０内のデータ記憶部１６には、ＡＦ補正用データΔＡＦＤ１も記憶されている。下記表２は、交換レンズユニット１０内のデータ記憶部１６に予め格納されているＡＦ補正用データΔＡＦＤ１の構成を表したものである。
【表２】
2005208235.tif 000004
【００７６】
データ構成としては、上記表１のＡＦ補正用データΔＡＦＤ０と同一の構成となっている。
【００７７】
また、図１１に示される中間アダプタ（Ｂ型）２０ｂ内のアダプタ記憶部２３に記憶されている補正係数αについては、下記表３のように構成される。
【表３】
2005208235.tif 000005
【００７８】
尚、交換レンズユニット１０がズームレンズで構成されていない場合は、焦点距離１に対応する部分のデータだけが記憶されている。
【００７９】
図１０は、本発明に係るカメラシステムの第２のバリエーションの構成を示す図である。第２のバリエーションでは、カメラシステムは、交換レンズユニット１０、Ａ型中間アダプタ２０ａ及びカメラボディユニット３０で構成される。ここで、Ａ型中間アダプタ２０ａは、中間アダプタの初期バージョンを意味する。
【００８０】
データ記憶部１６には、ＡＦ補正データとして、中間アダプタ２０が無い場合のＡＦ補正用データ（ΔＡＦＤ０）１６ａと、Ａ型中間アダプタ２０ａが有る場合のＡＦ補正用データ（ΔＡＦＤ１）１６ｂが格納されている。Ａ型中間アダプタ２０ａには、アダプタＣＰＵ２２が設けられているが、アダプタ記憶部２３は特に設ける必要は無い。もし設けられていても、ＡＦ補正に関するデータは記憶されていない。
【００８１】
そして、カメラＣＰＵ３５は、測距部４７からの、例えばＴＴＬ位相差方式による測距出力（ＡＦＤ）に対してＡＦ補正データを用いて補正し、撮影レンズの焦点調節駆動量を、レンズＣＰＵ１５に送信する。
【００８２】
図１１は、本発明に係るカメラシステムの第３のバリエーションの構成を示す図である。第３のバリエーションでは、カメラシステムは、交換レンズユニット１０、Ｂ型中間アダプタ２０ｂ及びカメラボディユニット３０で構成される。ここで、Ｂ型中間アダプタ２０ｂは、Ａ型中間アダプタ２０ａを改良したバージョンアップ製品を意味する。
【００８３】
データ記憶部１６には、ＡＦ補正データとして、中間アダプタ２０が無い場合のＡＦ補正用データ（ΔＡＦＤ０）１６ａと、Ａ型中間アダプタ２０ａが有る場合のＡＦ補正用データ（ΔＡＦＤ１）１６ｂが格納されている。Ｂ型中間アダプタ２０ｂには、アダプタＣＰＵ２２と共にアダプタ記憶部２３が設けられており、Ａ型中間アダプタ２０ａ用のＡＦ補正用データを、Ｂ型中間アダプタ２０ｂ用のＡＦ補正用データに変換するための補正係数αが記憶されている。
【００８４】
そして、カメラＣＰＵ３５は、測距部４７からの、例えばＴＴＬ位相差方式による測距出力（ＡＦＤ）に対してこれらのＡＦ補正データを用いて補正し、撮影レンズの焦点調節駆動量を、レンズＣＰＵ１５に送信する。
【００８５】
次に、カメラシステムのＡＦ補正動作について説明する。
【００８６】
カメラシステムのＡＦ補正に係る動作には、大別して、以下の２つがある。
【００８７】
（１）カメラボディユニット３０内のカメラＣＰＵ３５が、交換レンズユニット１０、中間アダプタ２０からレンズ情報を獲得する動作。  
（２）カメラボディユニット３０内のカメラＣＰＵ３５が、合焦のための焦点ずれ補正量を計算する動作。
【００８８】
以下、これらの動作について説明する。尚、カメラＣＰＵ３５には、上述の３つの構成のバリエーション（図９乃至図１１参照）に対応することができる処理機能を備えている。
【００８９】
図１２は、カメラＣＰＵ３５が、レンズ情報を獲得する手順を示す概略のフローチャートである。このフローチャートは、カメラボディユニット３０の電源がオンされたとき、または交換レンズユニット１０、中間アダプタ２０が装着されたときに開始される。
【００９０】
先ず、ステップＳ１にて、交換レンズユニット１０からレンズ情報を受取るために、カメラＣＰＵ３５からレンズ選択信号が出力される。すなわち、「ＬＳＥＬ」ラインの信号レベルがＬｏｗ（ローレベル）からＨｉｇｈ（ハイレベル）に変化される。次いで、ステップＳ２に於いて、交換レンズユニット１０からの応答の有無が判定される。
【００９１】
ここで、通信が可能な状態にあれば、レンズＣＰＵ１５により、通信可能（ｒｅａｄｙ）状態にある旨の応答信号が返信される。交換レンズユニット１０からの応答が無い場合は、カメラＣＰＵ３５の処理が終了する。一方、交換レンズユニット１０からの応答が有る場合は、ステップＳ３に移行して、カメラＣＰＵ３５によりレンズ情報が要求される。すなわち、「ＣＯＮＴ」ラインにレンズ情報要求命令が設定される。
【００９２】
この要求信号に対応して、レンズＣＰＵ１５では、データ記憶部１６が検索されてレンズ情報が抽出される。この抽出されたレンズ情報が、レンズＣＰＵ１５からカメラＣＰＵ３５に送信される。送信されるレンズ情報は、例えば、レンズ種類、開放ＦＮｏ、焦点距離、フォーカスレンズ位置、ＡＦ補正データ（ΔＡＦＤ０、ΔＡＦＤ１）等である。
【００９３】
そして、ステップＳ４にて、カメラＣＰＵ３５により、これらの送信されるレンズ情報が読み込まれ、カメラ記憶部３９に記憶される。続いて、ステップＳ５にて、中間アダプタ２０からアダプタ情報を受取るために、カメラＣＰＵ３５によりアダプタ選択信号が出力される。すなわち、「ＡＳＥＬ」ラインの信号レベルがＬｏｗからＨｉｇｈに変化される。
【００９４】
そして、ステップＳ６に於いて、中間アダプタ２０からの応答の有無が判定される。ここで、通信が可能な状態にあれば、アダプタＣＰＵ２２からカメラＣＰＵ３５に対して、通信可能（ｒｅａｄｙ）状態にある旨の応答信号が返信される。
【００９５】
中間アダプタ２０からの応答が無い場合、カメラシステムは図９に示されるような構成であり、カメラＣＰＵ３５による処理が終了する。一方、中間アダプタ２０からの応答が有る場合は、カメラＣＰＵ３５にて、その応答がチェックされて、カメラボディユニット３０に装着される中間アダプタの種類が判別される。
【００９６】
次いで、ステップＳ８に移行して、カメラボディユニット３０に装着される中間アダプタの種類がＢ型中間アダプタか否かが判定される。ここで、Ｂ型中間アダプタでない場合、すなわち、Ａ型中間アダプタの場合は、カメラシステムは図１０に示されるような構成である。したがって、カメラＣＰＵ３５により、既にレンズ補正データ（ΔＡＦＤ１）が獲得されているため、処理が終了する。
【００９７】
一方、上記ステップＳ８にて、装着される中間アダプタの種類がＢ型中間アダプタである場合は、カメラシステムは図１１に示されるような構成であり、カメラＣＰＵ３５によりアダプタ情報が要求される。すなわち、「ＣＯＮＴ」ラインにアダプタ情報要求命令が設定される。この要求信号に対応して、アダプタＣＰＵ２２により、アダプタ記憶部２３が検索されてアダプタ情報が抽出される。そして、この抽出されたアダプタ情報が、カメラＣＰＵ３５に送信される。送信されるアダプタ情報は、例えば、上述した補正係数α等である。
【００９８】
ステップＳ９では、カメラＣＰＵ３５により、これらの送信されたアダプタ情報が読み込まれ、カメラ記憶部３９に記憶される。
【００９９】
以上の手順により、カメラＣＰＵ３５にて、上述したそれぞれの構成のバリエーション１乃至３に対応したＡＦ補正データが獲得され、そのデータがカメラ記憶部３９に記憶される。
【０１００】
図１３は、カメラＣＰＵ３５により、合焦のための焦点ずれ量の補正演算が行われる手順を示す概略のフローチャートである。このフローチャートは、撮影者によりカメラボディユニット３０の図示されないレリーズ釦が押下されたときに実行される、撮影準備のためのＡＦ動作を表している。
【０１０１】
先ず、ステップＳ１１にて、カメラＣＰＵ３５により光源センサ５１が動作されて、サブルーチン「光源検出」が実行される。
【０１０２】
ここで、図１４のフローチャートを参照して、図１３のフローチャートに於けるステップＳ１１のサブルーチン「光源検出」の詳細な動作について説明する。
【０１０３】
本ルーチンに入ると、先ず、図示されない光源の種類を表すフラグＦ＿ＦＬＵＯ、Ｆ＿ＳＵＮ、Ｆ＿ＩＮＦＲ、Ｆ＿ＢＲＵＦ、Ｆ＿ＨＯＪＯがクリアされる。次いで、ステップＳ３１に於いて、ＡＦセンサ４６の積分動作時に補助光が発光されたか否かが判別される。ここで、補助光が発光された場合は、ステップＳ４６へ移行して、フラグ［Ｆ＿ＨＯＪＯ］に１がセットされる。その後、本ルーチンを抜ける。
【０１０４】
一方、上記ステップＳ３１にて補助光が発光されなかった場合は、ステップＳ３２へ移行して、光源センサ５１の出力が読み出される。次いで、ステップＳ３３にて上記光源センサ５１の出力から、光源の輝度が算出される。更に、ステップＳ３４では、可視光及び赤外光の輝度値が、それぞれ算出される。
【０１０５】
ステップＳ３５では、可視光（ＢＶ＿ｅｙｅ）と赤外光（ＢＶ＿ｉｒ）の差が、下記式に従って算出される。  
Ｄ＿ＢＶ←ＢＶ＿ｉｒ−ＢＶ＿ｅｙｅ  
Ｄ＿ＢＶ←Ｄ＿ＢＶ−ＤＢＶ＿ＲＥＦ  
ここで、ＤＢＶ＿ＲＥＦは、基準のタングステン光（白熱灯）照射時の可視光と赤外光の輝度差であり、カメラ個体に応じて異なる値としてカメラＣＰＵ３５内に調整値として記憶されている。
【０１０６】
このように、タングステン光（白熱灯）を基準にして上記算出された差が規格化される。
【０１０７】
次に、ステップＳ３６に於いて、上述した可視光の輝度値が使用可能な値であるか否かが判別される。これは、輝度が明るすぎる場合や暗すぎる場合は、その光源センサの光源検出精度が悪化するため、光源検出の出力があまり信用できないからである。この場合、ステップＳ３６では、可視光の輝度値が−２より小さいか、または８より大きいかが判別される。
【０１０８】
ここで、上記可視光の輝度値が−２より小または８より大であれば、ステップＳ４５へ移行して光源が不明であるとされる。一方、上記輝度値が−２以上で且つ８以下であれば、ステップＳ３７へ移行する。
【０１０９】
ステップＳ３７では、上記ステップＳ３５で算出された輝度差Ｄ＿ＢＶが、蛍光灯の閾値ＢＶ＿ＴＨ＿ｋｅｉと比較される。ここで、上記輝度差Ｄ＿ＢＶの方が蛍光灯の閾値ＢＶ＿ＴＨ＿ｋｅｉよりも小さければステップＳ４１へ移行し、大きければステップＳ３８へ移行する。
【０１１０】
ステップＳ３８では、上記ステップＳ３５で算出された輝度差Ｄ＿ＢＶが、蛍光灯の閾値ＢＶ＿ＴＨ＿ｋｅｉと太陽光の閾値ＢＶ＿ＴＨ＿ｓｕｎの間にあるか否かが判定される。ここで、輝度差Ｄ＿ＢＶが両者の閾値の範囲内にあればステップＳ４２へ移行し、両者の閾値の範囲外であればステップＳ３９へ移行する。
【０１１１】
また、ステップＳ３９では、上記ステップＳ３５で算出された輝度差Ｄ＿ＢＶが、太陽光の閾値ＢＶ＿ＴＨ＿ｓｕｎとタングステン光の閾値ＢＶ＿ＴＨ＿ｆｌの間にあるか否かが判定される。ここで、輝度差Ｄ＿ＢＶが両者の閾値の範囲内にあればステップＳ４３へ移行し、両者の閾値の範囲外であればステップＳ４０へ移行する。
【０１１２】
ステップＳ４０では、上記ステップＳ３５で算出された輝度差Ｄ＿ＢＶと、タングステン光の閾値ＢＶ＿ＴＨ＿ｆｌとが比較される。ここで、上記輝度差Ｄ＿ＢＶの方がタングステン光の閾値ＢＶ＿ＴＨ＿ｆｌよりも大きければステップＳ４４へ移行し、小さければステップＳ４５へ移行する。
【０１１３】
上述した各光源の閾値は、下記表４に示されるように、例えば、蛍光灯の閾値ＢＶ＿ＴＨ＿ｋｅｉが−３、太陽光の閾値ＢＶ＿ＴＨ＿ｓｕｎが−０．５、タングステン光の閾値ＢＶ＿ＴＨ＿ｆｌが＋０．５と設定される。
【表４】
2005208235.tif 000006
【０１１４】
そして、ステップＳ４１では、光源は蛍光灯であるとみなされる（フラグ［Ｆ＿ＦＬＵＯ］に１がセットされる）。同様に、ステップＳ４２では光源が太陽光であるとみなされ、ステップＳ４３では光源がタングステン光であるとみなされる。更に、ステップＳ４４では、光源がブルーフラッドランプであるとみなされる。また、ステップＳ４６では、上述したように、光源が不明であるとされる。光源が不明の場合は、レンズ内ピントズレ補正値を調整するときの基準光源である蛍光灯の補正値が使用されるため、フラグ［Ｆ＿ＦＬＵＯ］がセットされる。
【０１１５】
こうして光源が検出されると、本ルーチンを抜ける。
【０１１６】
図１３のフローチャートに戻って、ステップＳ１２では、カメラＣＰＵ３５によって、ＡＦセンサ４５に対して動作を開始させる指示が出力される。そして、続くステップＳ１３に於いて、測光回路４２の出力より、被写体が低輝度か否かが判別される。その結果、被写体が低輝度であれば、ステップＳ１４へ移行して、ＡＦセンサ４６の積分動作に同期して補助光部４３が発光される。尚、上記ステップＳ１３にて低輝度でない場合は、ステップＳ１４をスキップする。
【０１１７】
ステップＳ１５では、ＡＦセンサ４６からＡＦセンサデータが取り込まれる。次いで、ステップＳ１６にて、測距部４７により、このＡＦセンサデータよりセンサ上のずれピッチ数が求められ、更にこのピッチ数から撮影レンズ１１ａ、１１ｂの焦点ずれ量（ＡＦＤ）が演算される。
【０１１８】
次に、ステップＳ１７にて、中間アダプタ２０が接続されているか否かが判別される。ここで、中間アダプタ２０が接続されていない場合は、カメラシステムは図９に示される構成である。したがって、ステップＳ２３へ移行して、測距部４７からの焦点ずれ量（ＡＦＤ）に対して、中間アダプタ２０が接続されていない場合のＡＦ補正用データ（ΔＡＦＤ０）１６ａから、光源検出結果に基づいて光源の種類が判定されてデータが選択され、ΔＡＦＤ０Ｓとされる。
【０１１９】
ここで、図１５のフローチャートを参照して、図１３のフローチャートに於けるステップＳ２３のサブルーチン「光源判定、ＡＦ補正値（ΔＡＦＤ０Ｓ）選択」の動作について説明する。
【０１２０】
本サブルーチンに入ると、先ずステップＳ５１にて、レンズＣＰＵ１５より通信された焦点距離情報ｎがｍに入力される。次いで、ステップＳ５２に於いて、補助光を表すフラグ［Ｆ＿ＨＯＪＯ］がセットされたか否かが判別される。ここで、フラグ［Ｆ＿ＨＯＪＯ］がセットされた場合は、ステップＳ５３へ移行する。このステップＳ５３では、上記表１に基づいて、ＡＦ補正値ΔＡＦＤ０Ｓにｈｏｊｏ０ｍが選択されて入力される。その後、本ルーチンを抜ける。
【０１２１】
上記ステップＳ５２にてフラグ［Ｆ＿ＨＯＪＯ］がセットされない場合は、ステップＳ５４へ移行する。そして、ステップＳ５４に於いて、ブルーフラッドランプを表すフラグ［Ｆ＿ＢＲＵＦ］がセットされたか否かが判別される。ここで、フラグ［Ｆ＿ＢＲＵＦ］がセットされた場合は、ステップＳ５５へ移行する。このステップＳ５５では、上記表１に基づいて、ＡＦ補正値ΔＡＦＤ０Ｓにｂｒｕｆ０ｍが選択されて入力される。その後、本ルーチンを抜ける。
【０１２２】
一方、上記ステップＳ５４にてフラグ［Ｆ＿ＢＲＵＦ］がセットされない場合は、ステップＳ５６へ移行する。そして、ステップＳ５６に於いて、白熱灯を表すフラグ［Ｆ＿ＩＮＦＲ］がセットされたか否かが判別される。ここで、フラグ［Ｆ＿ＩＮＦＲ］がセットされた場合は、ステップＳ５７へ移行する。このステップＳ５７では、上記表１に基づいて、ＡＦ補正値ΔＡＦＤ０Ｓにｉｎｆｒ０ｍが選択されて入力される。その後、本ルーチンを抜ける。
【０１２３】
上記ステップＳ５６にてフラグ［Ｆ＿ＩＮＦＲ］がセットされない場合は、ステップＳ５８へ移行する。そして、ステップＳ５８に於いて、蛍光灯を表すフラグ［Ｆ＿ＦＬＵＯ］がセットされたか否かが判別される。ここで、フラグ［Ｆ＿ＦＬＵＯ］がセットされた場合は、ステップＳ５９へ移行する。このステップＳ５９では、上記表１に基づいて、ＡＦ補正値ΔＡＦＤ０Ｓにｆｌｕｏ０ｍが選択されて入力される。その後、本ルーチンを抜ける。
【０１２４】
また、上記ステップＳ５８にて、フラグ［Ｆ＿ＦＬＵＯ］がセットされない場合は、ステップＳ６０に移行して、上記表１に基づいてＡＦ補正値ΔＡＦＤ０Ｓにｓｕｎ０ｍが選択されて入力される。その後、本ルーチンを抜ける。
【０１２５】
図１３のフローチャートに戻って、ステップＳ２４では、上記焦点ずれ量（ＡＦＤ）にΔＡＦＤ０Ｓが加算されて、補正焦点ずれ量（ＡＦＤ′）が算出される。
【０１２６】
上記ステップＳ１７に於いて、中間アダプタ２０が接続されている場合は、ステップＳ１８に移行して、中間アダプタ２０がある場合のＡＦ補正用データ（ΔＡＦＤ１）１６ｂがカメラ記憶部３９から抽出されると共に光源判定が行われ、データが選択されてΔＡＦＤ１Ｓとされる。
【０１２７】
ここで、図１６のフローチャートを参照して、図１３のフローチャートに於けるステップＳ１８のサブルーチン「光源判定、ＡＦ補正値（ΔＡＦＤ０１）選択」の動作について説明する。
【０１２８】
本サブルーチンに入ると、先ずステップＳ７１にて、レンズＣＰＵ１５より通信された焦点距離情報ｎがｍに入力される。次いで、ステップＳ７２に於いて、補助光を表すフラグ［Ｆ＿ＨＯＪＯ］がセットされたか否かが判別される。ここで、フラグ［Ｆ＿ＨＯＪＯ］がセットされた場合は、ステップＳ７３へ移行する。このステップＳ７３では、上記表２に基づいて、ＡＦ補正値ΔＡＦＤ１Ｓにｈｏｊｏ１ｍが選択されて入力される。その後、本ルーチンを抜ける。
【０１２９】
上記ステップＳ７２にてフラグ［Ｆ＿ＨＯＪＯ］がセットされない場合は、ステップＳ７４へ移行する。そして、ステップＳ７４に於いて、ブルーフラッドランプを表すフラグ［Ｆ＿ＢＲＵＦ］がセットされたか否かが判別される。ここで、フラグ［Ｆ＿ＢＲＵＦ］がセットされた場合は、ステップＳ７５へ移行する。このステップＳ７５では、上記表２に基づいて、ＡＦ補正値ΔＡＦＤ１Ｓにｂｒｕｆ１ｍが選択されて入力される。その後、本ルーチンを抜ける。
【０１３０】
一方、上記ステップＳ７４にてフラグ［Ｆ＿ＢＲＵＦ］がセットされない場合は、ステップＳ７６へ移行する。そして、ステップＳ７６に於いて、白熱灯を表すフラグ［Ｆ＿ＩＮＦＲ］がセットされたか否かが判別される。ここで、フラグ［Ｆ＿ＩＮＦＲ］がセットされた場合は、ステップＳ７７へ移行する。このステップＳ７７では、上記表２に基づいて、ＡＦ補正値ΔＡＦＤ１Ｓにｉｎｆｒ１ｍが選択されて入力される。その後、本ルーチンを抜ける。
【０１３１】
上記ステップＳ７６にてフラグ［Ｆ＿ＩＮＦＲ］がセットされない場合は、ステップＳ７８へ移行する。そして、ステップＳ７８に於いて、蛍光灯を表すフラグ［Ｆ＿ＦＬＵＯ］がセットされたか否かが判別される。ここで、フラグ［Ｆ＿ＦＬＵＯ］がセットされた場合は、ステップＳ７９へ移行する。このステップＳ７９では、上記表２に基づいて、ＡＦ補正値ΔＡＦＤ１Ｓにｆｌｕｏ１ｍが選択されて入力される。その後、本ルーチンを抜ける。
【０１３２】
また、上記ステップＳ７８にて、フラグ［Ｆ＿ＦＬＵＯ］がセットされない場合は、ステップＳ８０に移行して、上記表２に基づいてＡＦ補正値ΔＡＦＤ１Ｓにｓｕｎ１ｍが選択されて入力される。その後、本ルーチンを抜ける。
【０１３３】
図１３のフローチャートに戻って、ステップＳ１９では、カメラ記憶部３９が検索されて中間アダプタの種類が判別され、その中間アダプタの種類がＢ型中間アダプタか否かが調べられる。ここで、Ｂ型中間アダプタでない、すなわち、Ａ型中間アダプタである場合は、カメラシステムは図１０に示される構成であり、カメラＣＰＵ３５は、既にＡＦ補正用データ（ΔＡＦＤ１）１６ｂを獲得している。そこで、ステップＳ２０へ移行して、カメラＣＰＵ３５では、測距部４７からの焦点ずれ量（ＡＦＤ）に対して、中間アダプタ２０がある場合のＡＦ補正用データ（ΔＡＦＤ１Ｓ）１６ｂが加算されて、補正焦点ずれ量（ＡＦＤ′）が算出される。その後、本ルーチンを抜ける。
【０１３４】
一方、上記ステップＳ１９にて、Ｂ型中間アダプタであると判別された場合は、カメラシステムは図１１に示される構成である。したがって、ステップＳ２１に移行して、カメラＣＰＵ３５により、カメラ記憶部３９より補正係数αが抽出され、光源判定が行われ、データが選択されてαS とされる。
【０１３５】
ここで、図１７のフローチャートを参照して、図１３のフローチャートに於けるステップＳ２１のサブルーチン「光源判定、補正係数（αS ）選択」の動作について説明する。
【０１３６】
本サブルーチンに入ると、先ずステップＳ９１にて、レンズＣＰＵ１５より通信された焦点距離情報ｎがｍに入力される。次いで、ステップＳ９２に於いて、補助光を表すフラグ［Ｆ＿ＨＯＪＯ］がセットされたか否かが判別される。ここで、フラグ［Ｆ＿ＨＯＪＯ］がセットされた場合は、ステップＳ９３へ移行する。このステップＳ９３では、上記表３に基づいて、補正係数αS にαhmが選択されて入力される。その後、本ルーチンを抜ける。
【０１３７】
上記ステップＳ９２にてフラグ［Ｆ＿ＨＯＪＯ］がセットされない場合は、ステップＳ９４へ移行する。そして、ステップＳ９４に於いて、ブルーフラッドランプを表すフラグ［Ｆ＿ＢＲＵＦ］がセットされたか否かが判別される。ここで、フラグ［Ｆ＿ＢＲＵＦ］がセットされた場合は、ステップＳ９５へ移行する。このステップＳ９５では、上記表３に基づいて、補正係数αS にαbmが選択されて入力される。その後、本ルーチンを抜ける。
【０１３８】
一方、上記ステップＳ９４にてフラグ［Ｆ＿ＢＲＵＦ］がセットされない場合は、ステップＳ９６へ移行する。そして、ステップＳ９６に於いて、白熱灯を表すフラグ［Ｆ＿ＩＮＦＲ］がセットされたか否かが判別される。ここで、フラグ［Ｆ＿ＩＮＦＲ］がセットされた場合は、ステップＳ９７へ移行する。このステップＳ９７では、上記表３に基づいて、補正係数αS にαimが選択されて入力される。その後、本ルーチンを抜ける。
【０１３９】
上記ステップＳ９６にてフラグ［Ｆ＿ＩＮＦＲ］がセットされない場合は、ステップＳ９８へ移行する。そして、ステップＳ９８に於いて、蛍光灯を表すフラグ［Ｆ＿ＦＬＵＯ］がセットされたか否かが判別される。ここで、フラグ［Ｆ＿ＦＬＵＯ］がセットされた場合は、ステップＳ９９へ移行する。このステップＳ９９では、上記表３に基づいて、補正係数αS にαfmが選択されて入力される。その後、本ルーチンを抜ける。
【０１４０】
また、上記ステップＳ９８にて、フラグ［Ｆ＿ＦＬＵＯ］がセットされない場合は、ステップＳ１００に移行して、上記表３に基づいて補正係数αS にαsmが選択されて入力される。その後、本ルーチンを抜ける。
【０１４１】
図１３のフローチャートに戻って、ステップＳ２２では、測距部４７からの焦点ずれ量（ＡＦＤ）に対して、中間アダプタ２０がある場合のＡＦ補正用データ（ΔＡＦＤ１Ｓ）１６ｂに補正係数αS が乗じられた値が加算されて、補正焦点ずれ量（ＡＦＤ′）が算出される。
【０１４２】
そして、カメラＣＰＵ３５は、上述の手順で算出した補正焦点ずれ量（ＡＦＤ′）をレンズＣＰＵ１５に送信する。レンズＣＰＵ１５は、この値に基づいて撮影レンズ１１ａ、１１ｂを移動して合焦動作を行う。
【０１４３】
尚、ステップＳ２０に於いて、ＡＦ補正用データ（ΔＡＦＤ１Ｓ）１６ｂに補正係数αS が乗じられて補正焦点ずれ量（ＡＦＤ′）が算出されているが、この形態に限定されるものではない。例えば、ＡＦ補正用データ（ΔＡＦＤ１Ｓ）１６ｂに補正係数αS が加算（減算）されるようにしても良く、またＡＦ補正用データ（ΔＡＦＤ１Ｓ）１６ｂと補正係数αS をパラメータとする関数を用いて補正焦点ずれ量（ＡＦＤ′）が算出されるように構成されても良い。
【０１４４】
更に、カメラＣＰＵ３５では、ＡＦ補正用データ（ΔＡＦＤ１Ｓ）１６ｂと補正係数αS を交換レンズユニット１０、中間アダプタ２０から獲得しているが、カメラＣＰＵ３５が外部装置（例えば、サーバ）から通信手段により当該情報を受信して、ＡＦ補正動作を行うように構成しても良い。
【０１４５】
（第３の実施形態）
次に、本発明の第２の実施形態について説明する。
【０１４６】
この第２の実施形態は、光源の種類に応じて更に被写体距離による補正を加えた例である。
【０１４７】
光源によって発生するピントずれ量は、フォーカスレンズの位置によって異なることは公知である。これは、フォーカスレンズ位置、すなわちフォーカスレンズの繰り出し量により球面収差が変化することに起因することも知られている（図１８参照）。
【０１４８】
フォーカスレンズ位置は被写体距離に対応するので、以下、同じ意味として説明する。
【０１４９】
下記表５は、交換レンズ鏡筒１０内のデータ記憶部１６のΔＡＦＤ０１６ａに格納されている光源に対応したピントずれ補正データを表したものである。
【表５】
2005208235.tif 000007
【０１５０】
このフォーカスレンズは、例えば最至近撮影距離が０．５ｍであり、０．５ｍ〜無限の被写体距離を４つの領域に分割して、ピントずれ補正データを有している。
【０１５１】
図１８は、１種類の光源についてのみの特性を示したもので、上記各領域内の平均値のピントずれ量を補正データｇとしている。
【０１５２】
図１９及び図２０は、第２の実施形態に於いて、上記表５のピントずれ補正データを用いてピントずれを補正するサブルーチン「光源判定・ＡＦ補正値（ΔＡＦＤ０Ｓ）選択」の動作を説明するフローチャートである。
【０１５３】
以下、この動作について説明する。
【０１５４】
尚、フォーカスレンズ位置（＝距離）は、レンズ駆動機構１３内の図示されないフォーカスエンコーダにより検出され、レンズＣＰＵ１５より通信により得られている。
【０１５５】
図１３のフローチャートに於けるステップＳ２３のサブルーチン「光源判定・ＡＦ補正値選択」に入ると、先ずステップＳ１１１に於いて、フラグ［Ｆ＿ＨＯＪＯ］が判別される。ここで、フラグ［Ｆ＿ＨＯＪＯ］がセットされている場合は、ステップＳ１１２へ移行して被写体距離Ｌが５ｍ以上であるか否かが判別される。その結果、焦点距離Ｌが５ｍ以上であれば、ステップＳ１１３へ移行して、上記表５の補正データに従って、収差補正量ｇ1h0 がＡＦ補正用データであるΔＡＦＤ０Ｓに入力される。その後、本サブルーチンを抜ける。
【０１５６】
一方、上記ステップＳ１１２にて被写体距離Ｌが５ｍ未満であれば、ステップＳ１１４に移行して、被写体距離のＬが２ｍ〜５ｍの間であるか否かが判別される。ここで、焦点距離Ｌが２ｍ〜５ｍの間であれば、ステップＳ１１５へ移行して、上記表５の補正データに従って、収差補正量ｇ2h0 がＡＦ補正用データΔＡＦＤ０Ｓに入力される。その後、本サブルーチンを抜ける。
【０１５７】
更に、上記ステップＳ１１４にて被写体距離Ｌが２ｍ未満であれば、ステップＳ１１６に移行して、被写体距離のＬが１ｍ〜２ｍの間であるか否かが判別される。ここで、焦点距離Ｌが１ｍ〜２ｍの間であれば、ステップＳ１１７へ移行して、上記表５の補正データに従って、収差補正量ｇ3h0 がＡＦ補正用データΔＡＦＤ０Ｓに入力される。その後、本サブルーチンを抜ける。
【０１５８】
そして、上記ステップＳ１１６にて焦点距離Ｌが１ｍ未満であれば、ステップＳ１１８へ移行して、上記表５の補正データに従って、収差補正量ｇ4h0 がＡＦ補正用データΔＡＦＤ０Ｓに入力される。その後、本サブルーチンを抜ける。
【０１５９】
これに対し、上記ステップＳ１１１に於いて、フラグ［Ｆ＿ＨＯＪＯ］がセットされていない場合は、ステップＳ１１９へ移行して、フラグ［Ｆ＿ＢＲＵＦ］がセットされているか否かが判別される。ここで、フラグ［Ｆ＿ＢＲＵＦ］がセットされている場合は、ステップＳ１２０へ移行する。
【０１６０】
ステップＳ１２０では、被写体距離Ｌが５ｍ以上であるか否かが判別される。その結果、焦点距離Ｌが５ｍ以上であれば、ステップＳ１２１へ移行して、上記表５の補正データに従って、収差補正量ｇ1b0 がＡＦ補正用データΔＡＦＤ０Ｓに入力される。その後、本サブルーチンを抜ける。
【０１６１】
一方、上記ステップＳ１２０にて被写体距離Ｌが５ｍ未満であれば、ステップＳ１２２に移行して、被写体距離のＬが２ｍ〜５ｍの間であるか否かが判別される。ここで、焦点距離Ｌが２ｍ〜５ｍの間であれば、ステップＳ１２３へ移行して、上記表５の補正データに従って、収差補正量ｇ2b0 がＡＦ補正用データΔＡＦＤ０Ｓに入力される。その後、本サブルーチンを抜ける。
【０１６２】
更に、上記ステップＳ１２２にて被写体距離Ｌが２ｍ未満であれば、ステップＳ１２４に移行して、被写体距離のＬが１ｍ〜２ｍの間であるか否かが判別される。ここで、焦点距離Ｌが１ｍ〜２ｍの間であれば、ステップＳ１２５へ移行して、上記表５の補正データに従って、収差補正量ｇ3b0 がＡＦ補正用データΔＡＦＤ０Ｓに入力される。その後、本サブルーチンを抜ける。
【０１６３】
そして、上記ステップＳ１２４にて焦点距離Ｌが１ｍ未満であれば、ステップＳ１２６へ移行して、上記表５の補正データに従って、収差補正量ｇ4b0 がＡＦ補正用データΔＡＦＤ０Ｓに入力される。その後、本サブルーチンを抜ける。
【０１６４】
上記ステップＳ１１９に於いて、フラグ［Ｆ＿ＢＲＵＦ］がセットされていない場合は、ステップＳ１２７へ移行して、フラグ［Ｆ＿ＩＮＦＲ］がセットされているか否かが判別される。ここで、フラグ［Ｆ＿ＩＮＦＲ］がセットされている場合は、ステップＳ１２９へ移行する。
【０１６５】
ステップＳ１２９では、被写体距離Ｌが５ｍ以上であるか否かが判別される。その結果、焦点距離Ｌが５ｍ以上であれば、ステップＳ１３０へ移行して、上記表５の補正データに従って、収差補正量ｇ1i0 がＡＦ補正用データΔＡＦＤ０Ｓに入力される。その後、本サブルーチンを抜ける。
【０１６６】
一方、上記ステップＳ１２９にて被写体距離Ｌが５ｍ未満であれば、ステップＳ１３１に移行して、被写体距離のＬが２ｍ〜５ｍの間であるか否かが判別される。ここで、焦点距離Ｌが２ｍ〜５ｍの間であれば、ステップＳ１３２へ移行して、上記表５の補正データに従って、収差補正量ｇ2i0 がＡＦ補正用データΔＡＦＤ０Ｓに入力される。その後、本サブルーチンを抜ける。
【０１６７】
更に、上記ステップＳ１３１にて被写体距離Ｌが２ｍ未満であれば、ステップＳ１３３に移行して、被写体距離のＬが１ｍ〜２ｍの間であるか否かが判別される。ここで、焦点距離Ｌが１ｍ〜２ｍの間であれば、ステップＳ１３４へ移行して、上記表５の補正データに従って、収差補正量ｇ3i0 がＡＦ補正用データΔＡＦＤ０Ｓに入力される。その後、本サブルーチンを抜ける。
【０１６８】
そして、上記ステップＳ１３３にて焦点距離Ｌが１ｍ未満であれば、ステップＳ１３５へ移行して、上記表５の補正データに従って、収差補正量ｇ4i0 がＡＦ補正用データΔＡＦＤ０Ｓに入力される。その後、本サブルーチンを抜ける。
【０１６９】
また、上記ステップＳ１２７に於いて、フラグ［Ｆ＿ＩＮＦＲ］がセットされていない場合は、ステップＳ１２８へ移行して、フラグ［Ｆ＿ＦＬＵＯ］がセットされているか否かが判別される。ここで、フラグ［Ｆ＿ＦＬＵＯ］がセットされている場合は、ステップＳ１３６へ移行する。
【０１７０】
ステップＳ１３６では、被写体距離Ｌが５ｍ以上であるか否かが判別される。その結果、焦点距離Ｌが５ｍ以上であれば、ステップＳ１３７へ移行して、上記表５の補正データに従って、収差補正量ｇ1f0 がＡＦ補正用データΔＡＦＤ０Ｓに入力される。その後、本サブルーチンを抜ける。
【０１７１】
一方、上記ステップＳ１３６にて被写体距離Ｌが５ｍ未満であれば、ステップＳ１３８に移行して、被写体距離のＬが２ｍ〜５ｍの間であるか否かが判別される。ここで、焦点距離Ｌが２ｍ〜５ｍの間であれば、ステップＳ１３９へ移行して、上記表５の補正データに従って、収差補正量ｇ2f0 がＡＦ補正用データΔＡＦＤ０Ｓに入力される。その後、本サブルーチンを抜ける。
【０１７２】
更に、上記ステップＳ１３８にて被写体距離Ｌが２ｍ未満であれば、ステップＳ１４０に移行して、被写体距離のＬが１ｍ〜２ｍの間であるか否かが判別される。ここで、焦点距離Ｌが１ｍ〜２ｍの間であれば、ステップＳ１４１へ移行して、上記表５の補正データに従って、収差補正量ｇ3f0 がＡＦ補正用データΔＡＦＤ０Ｓに入力される。その後、本サブルーチンを抜ける。
【０１７３】
そして、上記ステップＳ１４０にて焦点距離Ｌが１ｍ未満であれば、ステップＳ１４２へ移行して、上記表５の補正データに従って、収差補正量ｇ4f0 がＡＦ補正用データΔＡＦＤ０Ｓに入力される。その後、本サブルーチンを抜ける。
【０１７４】
上記ステップＳ１２８に於いて、フラグ［Ｆ＿ＦＬＵＯ］がセットされていない場合は、ステップＳ１４３へ移行する。この場合は、上記補助光、ブルーフラッドランプ、白熱灯、蛍光灯の何れでもないので、光源は太陽光と判別される。
【０１７５】
ステップＳ１４３では、被写体距離Ｌが５ｍ以上であるか否かが判別される。その結果、焦点距離Ｌが５ｍ以上であれば、ステップＳ１４４へ移行して、上記表５の補正データに従って、収差補正量ｇ1s0 がＡＦ補正用データΔＡＦＤ０Ｓに入力される。その後、本サブルーチンを抜ける。
【０１７６】
一方、上記ステップＳ１４３にて被写体距離Ｌが５ｍ未満であれば、ステップＳ１４５に移行して、被写体距離のＬが２ｍ〜５ｍの間であるか否かが判別される。ここで、焦点距離Ｌが２ｍ〜５ｍの間であれば、ステップＳ１４６へ移行して、上記表５の補正データに従って、収差補正量ｇ2s0 がＡＦ補正用データΔＡＦＤ０Ｓに入力される。その後、本サブルーチンを抜ける。
【０１７７】
更に、上記ステップＳ１４５にて被写体距離Ｌが２ｍ未満であれば、ステップＳ１４７に移行して、被写体距離のＬが１ｍ〜２ｍの間であるか否かが判別される。ここで、焦点距離Ｌが１ｍ〜２ｍの間であれば、ステップＳ１４８へ移行して、上記表５の補正データに従って、収差補正量ｇ3s0 がＡＦ補正用データΔＡＦＤ０Ｓに入力される。その後、本サブルーチンを抜ける。
【０１７８】
そして、上記ステップＳ１４７にて焦点距離Ｌが１ｍ未満であれば、ステップＳ１４９へ移行して、上記表５の補正データに従って、収差補正量ｇ4s0 がＡＦ補正用データΔＡＦＤ０Ｓに入力される。その後、本サブルーチンを抜ける。
【０１７９】
下記表６は、上述した表５と同様に、交換レンズユニット１０内のデータ記憶部１６のΔＡＦＤ１Ｓ１６ｂ内に格納されている光源に対応したピントずれ補正データを表したものである。
【表６】
2005208235.tif 000008
【０１８０】
このフォーカスレンズも、例えば最至近撮影距離が０．５ｍであり、０．５ｍ〜無限の被写体距離を４つの領域に分割して、ピントずれ補正データを有している。
【０１８１】
図２１及び図２２は、第２の実施形態に於いて、上記表６のピントずれ補正データを用いてピントずれを補正するサブルーチン「光源判定・ＡＦ補正値（ΔＡＦＤ１Ｓ）選択」の動作を説明するフローチャートである。
【０１８２】
以下、この動作について説明する。
【０１８３】
図１３のフローチャートに於けるステップＳ１８のサブルーチン「光源判定・ＡＦ補正値選択」に入ると、先ずステップＳ１５１に於いて、フラグ［Ｆ＿ＨＯＪＯ］が判別される。ここで、フラグ［Ｆ＿ＨＯＪＯ］がセットされている場合は、ステップＳ１５２へ移行して被写体距離Ｌが５ｍ以上であるか否かが判別される。その結果、焦点距離Ｌが５ｍ以上であれば、ステップＳ１５３へ移行して、上記表６の補正データに従って、収差補正量ｇ1h1 がＡＦ補正用データであるΔＡＦＤ１Ｓに入力される。その後、本サブルーチンを抜ける。
【０１８４】
一方、上記ステップＳ１５２にて被写体距離Ｌが５ｍ未満であれば、ステップＳ１５４に移行して、被写体距離のＬが２ｍ〜５ｍの間であるか否かが判別される。ここで、焦点距離Ｌが２ｍ〜５ｍの間であれば、ステップＳ１５５へ移行して、上記表６の補正データに従って、収差補正量ｇ2h1 がＡＦ補正用データΔＡＦＤ１Ｓに入力される。その後、本サブルーチンを抜ける。
【０１８５】
更に、上記ステップＳ１５４にて被写体距離Ｌが２ｍ未満であれば、ステップＳ１５６に移行して、被写体距離のＬが１ｍ〜２ｍの間であるか否かが判別される。ここで、焦点距離Ｌが１ｍ〜２ｍの間であれば、ステップＳ１５７へ移行して、上記表６の補正データに従って、収差補正量ｇ3h1 がＡＦ補正用データΔＡＦＤ１Ｓに入力される。その後、本サブルーチンを抜ける。
【０１８６】
そして、上記ステップＳ１５６にて焦点距離Ｌが１ｍ未満であれば、ステップＳ１５８へ移行して、上記表６の補正データに従って、収差補正量ｇ4h1 がＡＦ補正用データΔＡＦＤ１Ｓに入力される。その後、本サブルーチンを抜ける。
【０１８７】
これに対し、上記ステップＳ１５１に於いて、フラグ［Ｆ＿ＨＯＪＯ］がセットされていない場合は、ステップＳ１５９へ移行して、フラグ［Ｆ＿ＢＲＵＦ］がセットされているか否かが判別される。ここで、フラグ［Ｆ＿ＢＲＵＦ］がセットされている場合は、ステップＳ１６０へ移行する。
【０１８８】
ステップＳ１６０では、被写体距離Ｌが５ｍ以上であるか否かが判別される。その結果、焦点距離Ｌが５ｍ以上であれば、ステップＳ１６１へ移行して、上記表６の補正データに従って、収差補正量ｇ1b1 がＡＦ補正用データΔＡＦＤ１Ｓに入力される。その後、本サブルーチンを抜ける。
【０１８９】
一方、上記ステップＳ１６０にて被写体距離Ｌが５ｍ未満であれば、ステップＳ１６２に移行して、被写体距離のＬが２ｍ〜５ｍの間であるか否かが判別される。ここで、焦点距離Ｌが２ｍ〜５ｍの間であれば、ステップＳ１６３へ移行して、上記表６の補正データに従って、収差補正量ｇ2b1 がＡＦ補正用データΔＡＦＤ１Ｓに入力される。その後、本サブルーチンを抜ける。
【０１９０】
更に、上記ステップＳ１６２にて被写体距離Ｌが２ｍ未満であれば、ステップＳ１６４に移行して、被写体距離のＬが１ｍ〜２ｍの間であるか否かが判別される。ここで、焦点距離Ｌが１ｍ〜２ｍの間であれば、ステップＳ１６５へ移行して、上記表６の補正データに従って、収差補正量ｇ3b1 がＡＦ補正用データΔＡＦＤ１Ｓに入力される。その後、本サブルーチンを抜ける。
【０１９１】
そして、上記ステップＳ１６４にて焦点距離Ｌが１ｍ未満であれば、ステップＳ１６６へ移行して、上記表６の補正データに従って、収差補正量ｇ4b1 がＡＦ補正用データΔＡＦＤ１Ｓに入力される。その後、本サブルーチンを抜ける。
【０１９２】
上記ステップＳ１５９に於いて、フラグ［Ｆ＿ＢＲＵＦ］がセットされていない場合は、ステップＳ１６７へ移行して、フラグ［Ｆ＿ＩＮＦＲ］がセットされているか否かが判別される。ここで、フラグ［Ｆ＿ＩＮＦＲ］がセットされている場合は、ステップＳ１６９へ移行する。
【０１９３】
ステップＳ１６９では、被写体距離Ｌが５ｍ以上であるか否かが判別される。その結果、焦点距離Ｌが５ｍ以上であれば、ステップＳ１７０へ移行して、上記表６の補正データに従って、収差補正量ｇ1i1 がＡＦ補正用データΔＡＦＤ１Ｓに入力される。その後、本サブルーチンを抜ける。
【０１９４】
一方、上記ステップＳ１６９にて被写体距離Ｌが５ｍ未満であれば、ステップＳ１７１に移行して、被写体距離のＬが２ｍ〜５ｍの間であるか否かが判別される。ここで、焦点距離Ｌが２ｍ〜５ｍの間であれば、ステップＳ１７２へ移行して、上記表６の補正データに従って、収差補正量ｇ2i1 がＡＦ補正用データΔＡＦＤ１Ｓに入力される。その後、本サブルーチンを抜ける。
【０１９５】
更に、上記ステップＳ１７１にて被写体距離Ｌが２ｍ未満であれば、ステップＳ１７３に移行して、被写体距離のＬが１ｍ〜２ｍの間であるか否かが判別される。ここで、焦点距離Ｌが１ｍ〜２ｍの間であれば、ステップＳ１７４へ移行して、上記表６の補正データに従って、収差補正量ｇ3i1 がＡＦ補正用データΔＡＦＤ１Ｓに入力される。その後、本サブルーチンを抜ける。
【０１９６】
そして、上記ステップＳ１７３にて焦点距離Ｌが１ｍ未満であれば、ステップＳ１７５へ移行して、上記表６の補正データに従って、収差補正量ｇ4i1 がＡＦ補正用データΔＡＦＤ１Ｓに入力される。その後、本サブルーチンを抜ける。
【０１９７】
また、上記ステップＳ１６７に於いて、フラグ［Ｆ＿ＩＮＦＲ］がセットされていない場合は、ステップＳ１６８へ移行して、フラグ［Ｆ＿ＦＬＵＯ］がセットされているか否かが判別される。ここで、フラグ［Ｆ＿ＦＬＵＯ］がセットされている場合は、ステップＳ１７６へ移行する。
【０１９８】
ステップＳ１７６では、被写体距離Ｌが５ｍ以上であるか否かが判別される。その結果、焦点距離Ｌが５ｍ以上であれば、ステップＳ１７７へ移行して、上記表６の補正データに従って、収差補正量ｇ1f1 がＡＦ補正用データΔＡＦＤ１Ｓに入力される。その後、本サブルーチンを抜ける。
【０１９９】
一方、上記ステップＳ１７６にて被写体距離Ｌが５ｍ未満であれば、ステップＳ１７８に移行して、被写体距離のＬが２ｍ〜５ｍの間であるか否かが判別される。ここで、焦点距離Ｌが２ｍ〜５ｍの間であれば、ステップＳ１７９へ移行して、上記表６の補正データに従って、収差補正量ｇ2f1 がＡＦ補正用データΔＡＦＤ１Ｓに入力される。その後、本サブルーチンを抜ける。
【０２００】
更に、上記ステップＳ１７８にて被写体距離Ｌが２ｍ未満であれば、ステップＳ１８０に移行して、被写体距離のＬが１ｍ〜２ｍの間であるか否かが判別される。ここで、焦点距離Ｌが１ｍ〜２ｍの間であれば、ステップＳ１８１へ移行して、上記表６の補正データに従って、収差補正量ｇ3f1 がＡＦ補正用データΔＡＦＤ１Ｓに入力される。その後、本サブルーチンを抜ける。
【０２０１】
そして、上記ステップＳ１８０にて焦点距離Ｌが１ｍ未満であれば、ステップＳ１８２へ移行して、上記表６の補正データに従って、収差補正量ｇ4f1 がＡＦ補正用データΔＡＦＤ１Ｓに入力される。その後、本サブルーチンを抜ける。
【０２０２】
上記ステップＳ１６８に於いて、フラグ［Ｆ＿ＦＬＵＯ］がセットされていない場合は、ステップＳ１８３へ移行する。この場合は、上記補助光、ブルーフラッドランプ、白熱灯、蛍光灯の何れでもないので、光源は太陽光と判別される。
【０２０３】
ステップＳ１８３では、被写体距離Ｌが５ｍ以上であるか否かが判別される。その結果、焦点距離Ｌが５ｍ以上であれば、ステップＳ１８４へ移行して、上記表６の補正データに従って、収差補正量ｇ1s1 がＡＦ補正用データΔＡＦＤ１Ｓに入力される。その後、本サブルーチンを抜ける。
【０２０４】
一方、上記ステップＳ１８３にて被写体距離Ｌが５ｍ未満であれば、ステップＳ１８５に移行して、被写体距離のＬが２ｍ〜５ｍの間であるか否かが判別される。ここで、焦点距離Ｌが２ｍ〜５ｍの間であれば、ステップＳ１８６へ移行して、上記表６の補正データに従って、収差補正量ｇ2s1 がＡＦ補正用データΔＡＦＤ１Ｓに入力される。その後、本サブルーチンを抜ける。
【０２０５】
更に、上記ステップＳ１８５にて被写体距離Ｌが２ｍ未満であれば、ステップＳ１８７に移行して、被写体距離のＬが１ｍ〜２ｍの間であるか否かが判別される。ここで、焦点距離Ｌが１ｍ〜２ｍの間であれば、ステップＳ１８８へ移行して、上記表６の補正データに従って、収差補正量ｇ3s1 がＡＦ補正用データΔＡＦＤ１Ｓに入力される。その後、本サブルーチンを抜ける。
【０２０６】
そして、上記ステップＳ１８７にて焦点距離Ｌが１ｍ未満であれば、ステップＳ１８９へ移行して、上記表６の補正データに従って、収差補正量ｇ4s1 がＡＦ補正用データΔＡＦＤ１Ｓに入力される。その後、本サブルーチンを抜ける。
【０２０７】
下記表７は、上述した表５、表６と同様に、Ｂ型中間アダプタ２０ｂ内のアダプタ記憶部２３に格納されている光源に対応したピントずれ補正データを補正するための補正データを表したものである。
【表７】
2005208235.tif 000009
【０２０８】
このフォーカスレンズも、例えば最至近撮影距離が０．５ｍであり、０．５ｍ〜無限の被写体距離を４つの領域に分割して、ピントずれ補正データを有している。
【０２０９】
図２３及び図２４は、第２の実施形態に於いて、上記表７のピントずれ補正データを用いてピントずれを補正するサブルーチン「光源判定・補正係数（αS ）選択」の動作を説明するフローチャートである。
【０２１０】
以下、この動作について説明する。
【０２１１】
尚、フォーカスレンズ位置（＝距離）は、通信により、レンズＣＰＵ１５より得られている。
【０２１２】
図１３のフローチャートに於けるステップＳ２１のサブルーチン「光源判定・補正係数（αS ）選択」に入ると、先ずステップＳ１９１に於いて、フラグ［Ｆ＿ＨＯＪＯ］が判別される。ここで、フラグ［Ｆ＿ＨＯＪＯ］がセットされている場合は、ステップＳ１９２へ移行して被写体距離Ｌが５ｍ以上であるか否かが判別される。その結果、焦点距離Ｌが５ｍ以上であれば、ステップＳ１９３へ移行して、上記表７の補正データに従って、補正用データα1hが補正係数αS に入力される。その後、リターンする。
【０２１３】
一方、上記ステップＳ１９２にて被写体距離Ｌが５ｍ未満であれば、ステップＳ１９４に移行して、被写体距離のＬが２ｍ〜５ｍの間であるか否かが判別される。ここで、焦点距離Ｌが２ｍ〜５ｍの間であれば、ステップＳ１９５へ移行して、上記表７の補正データに従って、補正用データα2hが補正係数αS に入力される。その後、リターンする。
【０２１４】
更に、上記ステップＳ１９４にて被写体距離Ｌが２ｍ未満であれば、ステップＳ１９６に移行して、被写体距離のＬが１ｍ〜２ｍの間であるか否かが判別される。ここで、焦点距離Ｌが１ｍ〜２ｍの間であれば、ステップＳ１９７へ移行して、上記表７の補正データに従って、補正用データα3hが補正係数αS に入力される。その後、リターンする。
【０２１５】
そして、上記ステップＳ１９６にて焦点距離Ｌが１ｍ未満であれば、ステップＳ１９８へ移行して、上記表７の補正データに従って、補正用データα4hが補正係数αS に入力される。その後、リターンする。
【０２１６】
これに対し、上記ステップＳ１９１に於いて、フラグ［Ｆ＿ＨＯＪＯ］がセットされていない場合は、ステップＳ１９９へ移行して、フラグ［Ｆ＿ＢＲＵＦ］がセットされているか否かが判別される。ここで、フラグ［Ｆ＿ＢＲＵＦ］がセットされている場合は、ステップＳ２００へ移行する。
【０２１７】
ステップＳ２００では、被写体距離Ｌが５ｍ以上であるか否かが判別される。その結果、焦点距離Ｌが５ｍ以上であれば、ステップＳ２０１へ移行して、上記表７の補正データに従って、補正用データα1bが補正係数αS に入力される。その後、リターンする。
【０２１８】
一方、上記ステップＳ２００にて被写体距離Ｌが５ｍ未満であれば、ステップＳ２０２に移行して、被写体距離のＬが２ｍ〜５ｍの間であるか否かが判別される。ここで、焦点距離Ｌが２ｍ〜５ｍの間であれば、ステップＳ２０３へ移行して、上記表７の補正データに従って、補正用データα2bが補正係数αS に入力される。その後、リターンする。
【０２１９】
更に、上記ステップＳ２０２にて被写体距離Ｌが２ｍ未満であれば、ステップＳ２０４に移行して、被写体距離のＬが１ｍ〜２ｍの間であるか否かが判別される。ここで、焦点距離Ｌが１ｍ〜２ｍの間であれば、ステップＳ２０５へ移行して、上記表７の補正データに従って、補正用データα3bが補正係数αS に入力される。その後、リターンする。
【０２２０】
そして、上記ステップＳ２０４にて焦点距離Ｌが１ｍ未満であれば、ステップＳ２０６へ移行して、上記表７の補正データに従って、補正用データα4bが補正係数αS に入力される。その後、リターンする。
【０２２１】
上記ステップＳ１９９に於いて、フラグ［Ｆ＿ＢＲＵＦ］がセットされていない場合は、ステップＳ２０７へ移行して、フラグ［Ｆ＿ＩＮＦＲ］がセットされているか否かが判別される。ここで、フラグ［Ｆ＿ＩＮＦＲ］がセットされている場合は、ステップＳ２０９へ移行する。
【０２２２】
ステップＳ２０９では、被写体距離Ｌが５ｍ以上であるか否かが判別される。その結果、焦点距離Ｌが５ｍ以上であれば、ステップＳ２１０へ移行して、上記表７の補正データに従って、補正用データα1iが補正係数αS に入力される。その後、リターンする。
【０２２３】
一方、上記ステップＳ２０９にて被写体距離Ｌが５ｍ未満であれば、ステップＳ２１１に移行して、被写体距離のＬが２ｍ〜５ｍの間であるか否かが判別される。ここで、焦点距離Ｌが２ｍ〜５ｍの間であれば、ステップＳ２１２へ移行して、上記表７の補正データに従って、補正用データα2iが補正係数αS に入力される。その後、リターンする。
【０２２４】
更に、上記ステップＳ２１１にて被写体距離Ｌが２ｍ未満であれば、ステップＳ２１３に移行して、被写体距離のＬが１ｍ〜２ｍの間であるか否かが判別される。ここで、焦点距離Ｌが１ｍ〜２ｍの間であれば、ステップＳ２１４へ移行して、上記表７の補正データに従って、補正用データα3iがＡＦ補正用データαS に入力される。その後、リターンする。
【０２２５】
そして、上記ステップＳ２１３にて焦点距離Ｌが１ｍ未満であれば、ステップＳ２１５へ移行して、上記表７の補正データに従って、補正用データα4iが補正用データΔＡＦＤ０Ｓに入力される。その後、リターンする。
【０２２６】
また、上記ステップＳ２０７に於いて、フラグ［Ｆ＿ＩＮＦＲ］がセットされていない場合は、ステップＳ２０８へ移行して、フラグ［Ｆ＿ＦＬＵＯ］がセットされているか否かが判別される。ここで、フラグ［Ｆ＿ＦＬＵＯ］がセットされている場合は、ステップＳ２１６へ移行する。
【０２２７】
ステップＳ２１６では、被写体距離Ｌが５ｍ以上であるか否かが判別される。その結果、焦点距離Ｌが５ｍ以上であれば、ステップＳ２１７へ移行して、上記表７の補正データに従って、補正用データα1fがＡＦ補正用データαS に入力される。その後、リターンする。
【０２２８】
一方、上記ステップＳ２１６にて被写体距離Ｌが５ｍ未満であれば、ステップＳ２１８に移行して、被写体距離のＬが２ｍ〜５ｍの間であるか否かが判別される。ここで、焦点距離Ｌが２ｍ〜５ｍの間であれば、ステップＳ２１９へ移行して、上記表７の補正データに従って、補正用データα2fが補正係数αS に入力される。その後、リターンする。
【０２２９】
更に、上記ステップＳ２１８にて被写体距離Ｌが２ｍ未満であれば、ステップＳ２２０に移行して、被写体距離のＬが１ｍ〜２ｍの間であるか否かが判別される。ここで、焦点距離Ｌが１ｍ〜２ｍの間であれば、ステップＳ２２１へ移行して、上記表７の補正データに従って、補正量用データα3fが補正係数αS に入力される。その後、リターンする。
【０２３０】
そして、上記ステップＳ２２０にて焦点距離Ｌが１ｍ未満であれば、ステップＳ２２２へ移行して、上記表７の補正データに従って、補正用データα4fが補正係数αS に入力される。その後、リターンする。
【０２３１】
上記ステップＳ２０８に於いて、フラグ［Ｆ＿ＦＬＵＯ］がセットされていない場合は、ステップＳ２２３へ移行する。この場合は、上記補助光、ブルーフラッドランプ、白熱灯、蛍光灯の何れでもないので、光源は太陽光と判別される。
【０２３２】
ステップＳ２２３では、被写体距離Ｌが５ｍ以上であるか否かが判別される。その結果、焦点距離Ｌが５ｍ以上であれば、ステップＳ２２４へ移行して、上記表７の補正データに従って、補正用データα1sが補正係数αS に入力される。その後、リターンする。
【０２３３】
一方、上記ステップＳ２２４にて被写体距離Ｌが５ｍ未満であれば、ステップＳ２２５に移行して、被写体距離のＬが２ｍ〜５ｍの間であるか否かが判別される。ここで、焦点距離Ｌが２ｍ〜５ｍの間であれば、ステップＳ２２６へ移行して、上記表７の補正データに従って、補正用データα2sが補正係数αS に入力される。その後、リターンする。
【０２３４】
更に、上記ステップＳ２２５にて被写体距離Ｌが２ｍ未満であれば、ステップＳ２２７に移行して、被写体距離のＬが１ｍ〜２ｍの間であるか否かが判別される。ここで、焦点距離Ｌが１ｍ〜２ｍの間であれば、ステップＳ２２８へ移行して、上記表７の補正データに従って、補正用データα3sが補正係数αS に入力される。その後、リターンする。
【０２３５】
そして、上記ステップＳ２２７にて焦点距離Ｌが１ｍ未満であれば、ステップＳ２２９へ移行して、上記表７の補正データに従って、補正用データα4sが補正係数αS に入力される。その後、リターンする。
【０２３６】
その後、図１３のフローチャートのステップＳ２２に移行し、これにより、適切な補正係数が得られる。
【０２３７】
以上のように、フォーカスレンズ位置、すなわち距離による光源の種類に応じたピントずれ補正を行うようにしたので、より高精度なＡＦを行うことが可能となる。
【０２３８】
尚、上述した第１及び第２の実施形態では、太陽光、蛍光灯、タングステン光（白熱灯）、ブルーフラッドランプの４種類の光源について検出するようにしているが、これら４種類だけでなく、より細かな光源を検出して精度の良い補正を行うことも可能である。
【０２３９】
以上、この発明の実施形態について説明したが、この発明の主旨を逸脱しない範囲で変形可能であることはもちろんである。
【図面の簡単な説明】
【０２４０】
【図１】本発明のカメラシステムの基本的な構成を示すブロック図である。
【図２】本発明の第１の実施形態のカメラシステムに於ける焦点検出装置の一部を構成するＡＦセンサ４６の検出エリアと、光源センサ５１の検出エリアとを概略的に示し、これらの検出エリアの撮影画面（撮影画角）５５に対する関係をそれぞれ示した図である。
【図３】被写体を照明する各種の照明光源の分光特性を示す概略図である。
【図４】被写体を照明している光源の種類によって、ＡＦセンサ４６の受光部に結像される２つの像の間隔にズレが生じている状態を示した図である。
【図５】第１の実施形態のカメラシステムに於いて、被写体を照明する照明光を測定するもので可視光センサ６９の分光感度特性と、赤外光センサ６８の分光感度特性をそれぞれ示した図である。
【図６】光源による赤外測光と可視測光の差（ΔＢＶ）を、タングステンランプを基準として規格化して表した図であり、本実施形態に於ける光源判定の方法を示した図である。
【図７】光源センサ５１の配置について示した図である。
【図８】光源センサ５１の構成を示した平面図である。
【図９】本発明に係るカメラシステムの第１のバリエーションの構成を示す図である。
【図１０】本発明に係るカメラシステムの第２のバリエーションの構成を示す図である。
【図１１】本発明に係るカメラシステムの第３のバリエーションの構成を示す図である。
【図１２】カメラＣＰＵ３５が、レンズ情報を獲得する手順を示す概略のフローチャートである。
【図１３】カメラＣＰＵ３５により、合焦のための焦点ずれ量の補正演算が行われる手順を示す概略のフローチャートである。
【図１４】図１３のフローチャートに於けるステップＳ１１のサブルーチン「光源検出」の詳細な動作について説明するフローチャートである。
【図１５】図１３のフローチャートに於けるステップＳ２３のサブルーチン「光源判定、ＡＦ補正値（ΔＡＦＤ０Ｓ）選択」の動作について説明するフローチャートである。
【図１６】図１３のフローチャートに於けるステップＳ１８のサブルーチン「光源判定、ＡＦ補正値（ΔＡＦＤ０１）選択」の動作について説明するフローチャートである。
【図１７】図１３のフローチャートに於けるステップＳ２１のサブルーチン「光源判定、補正係数（αS ）選択」の動作について説明するフローチャートである。
【図１８】本発明の第２の実施形態であって、１種類の光源についてのみの特性を示した図である。
【図１９】本発明の第２の実施形態であって、図１３のフローチャートに於けるステップＳ２３のサブルーチン「光源判定・ＡＦ補正値（ΔＡＦＤ０Ｓ）選択」の動作を説明するフローチャートである。
【図２０】本発明の第２の実施形態であって、図１３のフローチャートに於けるステップＳ２３のサブルーチン「光源判定・ＡＦ補正値（ΔＡＦＤ０Ｓ）選択」の動作を説明するフローチャートである。
【図２１】本発明の第２の実施形態であって、図１３のフローチャートに於けるステップＳ１８のサブルーチン「光源判定・ＡＦ補正値（ΔＡＦＤ１Ｓ）選択」の動作を説明するフローチャートである。
【図２２】本発明の第２の実施形態であって、図１３のフローチャートに於けるステップＳ１８のサブルーチン「光源判定・ＡＦ補正値（ΔＡＦＤ１Ｓ）選択」の動作を説明するフローチャートである。
【図２３】本発明の第２の実施形態であって、図１３のフローチャートに於けるステップＳ２１のサブルーチン「光源判定・補正係数（αS ）選択」の動作を説明するフローチャートである。
【図２４】本発明の第２の実施形態であって、図１３のフローチャートに於けるステップＳ２１のサブルーチン「光源判定・補正係数（αS ）選択」の動作を説明するフローチャートである。
【符号の説明】
【０２４１】
１０…交換レンズユニット、１１ａ…撮影レンズ、１１ｂ…撮影レンズ、１２…絞り、１５…レンズＣＰＵ、１６…データ記憶部、１６ａ…ＡＦ補正用データ、１６ｂ…ＡＦ補正用データ、２０…中間アダプタ、２０ａ…Ａ型中間アダプタ、２０ｂ…Ｂ型中間アダプタ、２２…アダプタＣＰＵ、２３…アダプタ記憶部、３０…カメラボディユニット、３１…クイックリターンミラー、３５…カメラＣＰＵ、３９…カメラ記憶部、４２…測光回路、４３…補助光部、４６…ＡＦセンサ、４７…測距部、５０…拡散板、５１…光源センサ、５２…光源検出回路。
【図１】
2005208235.tif 000010
【図２】
2005208235.tif 000011
【図３】
2005208235.tif 000012
【図４】
2005208235.tif 000013
【図５】
2005208235.tif 000014
【図６】
2005208235.tif 000015
【図７】
2005208235.tif 000016
【図８】
2005208235.tif 000017
【図９】
2005208235.tif 000018
【図１０】
2005208235.tif 000019
【図１１】
2005208235.tif 000020
【図１２】
2005208235.tif 000021
【図１３】
2005208235.tif 000022
【図１４】
2005208235.tif 000023
【図１５】
2005208235.tif 000024
【図１６】
2005208235.tif 000025
【図１７】
2005208235.tif 000026
【図１８】
2005208235.tif 000027
【図１９】
2005208235.tif 000028
【図２０】
2005208235.tif 000029
【図２１】
2005208235.tif 000030
【図２２】
2005208235.tif 000031
【図２３】
2005208235.tif 000032
【図２４】
2005208235.tif 000033